(57)【要約】【課題】ループ記録用ストレージを追加登録／解除する場合でも、追加登録／登録解除対象ストレージ以外のストレージに記録されているコンテンツを利用可能とする。【解決手段】コンテンツデータを記録する主記録手段を有し、主記録手段と連携してコンテンツデータを記録可能な副記録手段の追加登録が可能とされた記録手段と、主記録手段及び副記録手段の記録領域を、それぞれ一定の容量の複数のセグメントに分割して管理するとともに、入力された複数のチャンネルのコンテンツデータのうちいずれか一のチャンネルのコンテンツデータを記録するように各セグメントに割り当て、同一チャンネルを割り当てた複数のセグメントに対し、記録手段において同一チャンネルのコンテンツデータを順次記録させるループ記録を行わせる記録制御手段と、を備える。【選択図】図１
2013012948.tif 000002
【特許請求の範囲】
【請求項１】
コンテンツデータを記録する主記録手段を有し、前記主記録手段と連携して前記コンテンツデータを記録可能な副記録手段の追加登録が可能とされた記録手段と、
前記主記録手段及び前記副記録手段の記録領域を、それぞれ一定の容量の複数のセグメントに分割して管理するとともに、入力された複数のチャンネルの前記コンテンツデータのうちいずれか一のチャンネルのコンテンツデータを記録するように各セグメントに割り当て、同一チャンネルを割り当てた複数のセグメントに対し、前記記録手段において前記同一チャンネルのコンテンツデータを順次記録させるループ記録を行わせる記録制御手段と、
を備えるディジタル放送記録装置。
【請求項２】
前記記録手段は、前記主記録手段及び前記追加登録された副記録手段が既に前記ループ記録が可能な状態で、新たな副記録手段の追加登録あるいは既に追加登録された副記録手段の登録解除が可能とされた、
請求項１記載のディジタル放送記録装置。
【請求項３】
前記記録制御手段は、前記主記録手段あるいは前記副記録手段に対し、前記コンテンツデータのループ記録を行うに際して、各記録手段内において同一チャンネルのコンテンツデータを記録する複数のセグメントに対し、所定の順番で順次前記コンテンツデータを記録させる、
請求項２記載のディジタル放送記録装置。
【請求項４】
前記記録制御手段は、前記追加登録された前記副記録手段に対し、前記主記録手段が記録しているチャンネルと同一のチャンネルあるいは異なるチャンネルのコンテンツデータを記録させる、
請求項３記載のディジタル放送記録装置。
【請求項５】
コンテンツデータを記録する主記録手段を有し、前記主記録手段と連携して前記コンテンツデータを記録可能な副記録手段の追加登録が可能とされた記録手段を備え、入力された複数のチャンネルのコンテンツデータを順次記録してループ記録を行うディジタル放送記録装置において実行されるディジタル放送記録方法であって、
前記複数チャンネルのコンテンツデータの入力を受け入れる過程と、
前記記録手段の記録領域を、それぞれ一定の容量の複数のセグメントに分割して管理するとともに、入力された複数のチャンネルの前記コンテンツデータのうちいずれか一のチャンネルのコンテンツデータを記録するように各セグメントに割り当てる過程と、
同一チャンネルを割り当てた複数のセグメントに対し、前記同一チャンネルのコンテンツデータを順次記録させるループ記録を行わせる過程と、
を備えるディジタル放送記録方法。
【請求項６】
コンテンツデータを記録する主記録手段を有し、前記主記録手段と連携して前記コンテンツデータを記録可能な副記録手段の追加登録が可能とされた記録手段を備え、入力された複数のチャンネルのコンテンツデータを順次記録してループ記録を行うディジタル放送記録装置をコンピュータにより制御する制御プログラムであって、
前記コンピュータを、
前記複数チャンネルのコンテンツデータの入力を受け入れる手段と、
前記記録手段の記録領域を、それぞれ一定の容量の複数のセグメントに分割して管理するとともに、入力された複数のチャンネルの前記コンテンツデータのうちいずれか一のチャンネルのコンテンツデータを記録するように各セグメントに割り当てる手段と、
同一チャンネルを割り当てた複数のセグメントに対し、前記同一チャンネルのコンテンツデータを順次記録させるループ記録を行わせる手段と、
して機能させる制御プログラム。
【発明の詳細な説明】
【技術分野】
【０００１】
本発明の実施形態は、ディジタル放送記録装置、ディジタル放送記録方法及び制御プログラムに関する。
【背景技術】
【０００２】
従来、ディジタル放送受信装置において、特定のチャンネルをループ録画するループ録画機能を応用して、毎日２４時間連続してコンテンツ（番組）を受信し、ストレージに記録（録画）し続けるシステムが実用化されている（例えば、特許文献１参照）。
このループ録画機能により、ユーザが意識的に番組を指定して録画予約を行わなくても自動的にコンテンツの録画が行われるため、予約を忘れていた場合や、放送後に話題に上った番組についても、過去に遡ってコンテンツ（番組）を視聴し、あるいは、保存することができるようになっていた。
【先行技術文献】
【特許文献】
【０００３】
【特許文献１】特開２００９−１３５９７８号公報
【発明の概要】
【発明が解決しようとする課題】
【０００４】
ところで、従来技術においては、ハードディスクドライブ等のストレージをループ記録（録画）用に追加で登録したり、登録を解除したりする場合には、追加登録後あるいは登録解除後のディジタル放送受信装置において、新たにストレージのフォーマット処理を行う必要があり、既に録画していたコンテンツを利用することができなくなってしまっていた。
【０００５】
本発明は、上記に鑑みてなされたものであって、ループ記録（録画）用のストレージを追加登録あるいは登録解除する場合でも、当該追加登録対象のストレージあるいは当該登録解除対象のストレージ以外のストレージに既に録画されているコンテンツを可能な限り利用することができるようにする。
【課題を解決するための手段】
【０００６】
実施形態のディジタル放送記録装置は、コンテンツデータを記録する主記録手段を有し、主記録手段と連携してコンテンツデータを記録可能な副記録手段の追加登録が可能とされた記録手段を備えている。
これにより記録制御手段は、主記録手段及び副記録手段の記録領域を、それぞれ一定の容量の複数のセグメントに分割して管理する。
さらに記録制御手段は、入力された複数のチャンネルのコンテンツデータのうちいずれか一のチャンネルのコンテンツデータを記録するように各セグメントに割り当てる。
そして、記録制御手段は、同一チャンネルを割り当てた複数のセグメントに対し、記録手段において同一チャンネルのコンテンツデータを順次記録させるループ記録を行わせる。
【図面の簡単な説明】
【０００７】
【図１】図１は、実施形態のテレビジョン受信装置の構成の一例を示すブロック図である。
【図２】図２は、本実施形態のチューナの詳細構成例を示すブロック図である。
【図３】図３は、ループ録画領域の説明図である。
【図４】図４は、ＨＤＤを追加登録して同時に記録する記録対象チャンネルを追加する場合の処理フローチャートである。
【図５】図５は、設定メニュー表示画面の一例の説明図である。
【図６】図６は、ＨＤＤの追加登録（同時記録チャンネル追加）処理の処理フローチャートである。
【図７】図７は、ＨＤＤを追加登録して同時に記録するチャンネルを追加する場合の具体例の説明図である。
【図８】図８は、ＨＤＤの追加登録（同時記録チャンネル追加）処理の処理フローチャートである。
【図９】図９は、ＨＤＤを追加登録してチャンネル毎の記録容量を増加する（記録領域を拡張する）場合であって、既存ＨＤＤが実体的にループ記録状態となっていない場合の具体例の説明図である。
【図１０】図１０は、ＨＤＤを追加登録してチャンネル毎の記録容量を増加する（記録領域を拡張する）場合であって、既存ＨＤＤが実体的にループ記録状態となっている場合の具体例の説明図である。
【図１１】図１１は、ＨＤＤを追加登録した後にさらにＨＤＤを追加登録してチャンネル毎の記録容量を増加する（記録領域を拡張する）場合であって、既存ＨＤＤが実体的にループ記録状態となっていない場合の具体例の説明図である。
【図１２】図１２は、ＨＤＤを追加登録した後にさらにＨＤＤを追加登録してチャンネル毎の記録容量を増加する（記録領域を拡張する）場合であって、既存ＨＤＤが実体的にループ記録状態となっている場合の具体例の説明図である。
【図１３】図１３は、追加登録したＨＤＤを一時的に取り外す場合の処理フローチャートである。
【図１４】図１４は、一時取り外し処理の処理フローチャートである。
【図１５】図１５は、追加登録したＨＤＤがメインディスクである場合に当該ＨＤＤを一時的に取り外す場合の具体例の説明図である。
【図１６】図１６は、追加登録したＨＤＤがブランチディスクである場合に当該ＨＤＤを一時的に取り外す場合の具体例の説明図である。
【図１７】図１７は、追加登録したＨＤＤが２台存在し、いずれのＨＤＤもブランチディスクである場合にいずれかの追加登録したＨＤＤを一時的に取り外す場合の具体例の説明図である。
【図１８】図１８は、追加登録したＨＤＤの登録解除を行う場合の処理フローチャートである。
【図１９】図１９は、追加登録したＨＤＤがメインディスクである場合に当該ＨＤＤの登録解除を行う場合の具体例の説明図である。
【図２０】図２０は、追加登録したＨＤＤの登録状態を維持し、既存のＨＤＤの登録解除を行う場合の具体例の説明図である。
【図２１】図２１は、追加登録したＨＤＤがブランチディスクである場合に当該ＨＤＤの登録解除を行う場合の具体例の説明図である。
【図２２】図２２は、追加登録したＨＤＤが２台存在し、いずれのＨＤＤもブランチディスクである場合にいずれかの追加登録したＨＤＤの登録解除を行う場合の具体例の説明図である。
【図２３】図２３は、ループ録画の開始後に同一ＨＤＤ内で同時記録するチャンネルを追加する場合の処理フローチャートである。
【図２４】図２４は、同時記録チャンネル追加処理の処理フローチャートである。
【図２５】図２５は、追加チャンネルの記録領域の確保が可能な場合の具体例の説明図である。
【図２６】図２６は、追加チャンネルの記録領域の確保ができない場合の具体例の説明図である。
【図２７】図２７は、ループ録画の開始後に同一ＨＤＤ内で同時記録するチャンネルを削除する場合の処理フローチャートである。
【図２８】図２８は、同時記録チャンネル削除処理の具体例の説明図である。
【発明を実施するための形態】
【０００８】
以下、添付図面を参照しながら、本発明にかかるディジタル放送記録装置及びディジタル放送記録方法の実施の形態を詳細に説明する。
以下の説明においては、ディジタル放送記録装置の一例として、録画機能を備えたテレビジョン受信装置を例にとり説明する。
【０００９】
まず、実施形態のテレビジョン受信装置の構成について説明する。
図１は、実施形態のテレビジョン受信装置の構成の一例を示すブロック図である。
テレビジョン受信装置１００は、図１に示すように、チューナ部１０１、録画再生部１０５、ＨＤＤ１１０、ＥＰＧ（Electric Program Guide）処理部１１２、ＥＰＧメモリ１１３、ＭＰＥＧ（Moving Picture Experts Group）デコーダ１１４、表示制御部１１５、リモコン受信部１１６、システムコントローラ１１７及び通信インタフェース（Ｉ／Ｆ）部１１８を備える。
【００１０】
ここで、システムコントローラ１１７及び録画再生部１０５は、記録管理制御部として機能している。
また、通信インタフェース部１１８は、ＵＳＢインタフェース、ＩＥＥＥ１３９４インタフェース、ＬＡＮインタフェース等として構成可能であり、外付けのＨＤＤ１１０Ｅ１〜１１０Ｅｎ（ｎは自然数）の接続が可能となっている。
【００１１】
チューナ部１０１は、番組などのコンテンツデータや制御データが多重化されたコンテンツデータとしてのトランスポートストリーム（Transport Stream）を放送局から受信する。
【００１２】
本実施形態では、チューナ部１０１は、チューナ１０１−１〜１０１−Ｎ（Ｎは自然数）を備えており、それぞれチャンネルＣｈ１〜ＣｈＮのトランスポートストリームを受信する。そして、チューナ１０１−１〜１０１−Ｎは、それぞれチャンネルＣｈ１〜ＣｈＮのトランスポートストリームを録画再生部１０５及びＥＰＧ処理部１１２に出力する。
【００１３】
ここで、本実施形態のチューナ１０１−１〜１０１−Ｎの詳細について説明する。
チューナ１０１−１〜１０１−Ｎは、同様の構成であるため、チューナ１０１−１を例として説明する。
【００１４】
図２は、本実施形態のチューナの詳細構成例を示すブロック図である。
図２に示すように、チューナ１０１−１は、選局部２０１と、分離部２０２と、デスクランブラ２０３と、分離部２０４と、ＩＣカード２０６とを備える。
選局部２０１は、アンテナ入力を選局し、選局したチャンネルのトランスポートストリームを分離部２０２及びデスクランブラ２０３に出力する。
【００１５】
分離部２０２は、選局部２０１から入力されたトランスポートストリームに多重されている制御データＥＣＭを分離し、分離した制御データＥＣＭをＩＣカード２０６に出力する。また、分離部２０２は、選局部２０１から入力されたトランスポートストリームを分離部２０４に出力する。分離部２０４は、分離部２０２から入力されたトランスポートストリームに多重されている制御データＥＭＭを分離し、分離した制御データＥＭＭをＩＣカード２０６に出力する。
【００１６】
ＩＣカード２０６は、分離部２０２から入力された制御データＥＣＭ及び分離部２０４から入力された制御データＥＭＭを用いてスクランブル鍵を復号する。デスクランブラ２０３は、ＩＣカード２０６で復号されたスクランブル鍵を用いてトランスポートストリームに多重されているコンテンツデータをデスクランブルし、出力する。
なお、本実施形態では、チューナ１０１−１〜１０１−ＮそれぞれにＩＣカード２０６が備えられているが、複数のチューナがＩＣカードを兼用するようにしてもよい。
【００１７】
図１に戻り、録画再生部１０５は、記録対象チャンネルＣｈ１〜ＣｈＮのトランスポートストリームからコンテンツデータを抽出して、録画や再生を行うものであり、ループ録画部１０６と、ＰＶＲ録画部１０７と、変更部１０８と、再生部１０９とを備える。
【００１８】
ループ録画部１０６は、概念的にループ状に形成されている録画領域に連続して録画を行い、既に録画済の領域に録画を行う場合には上書録画を行うループ録画方式を採用している。例えば、２４時間連続的にＨＤＤ１１０及び通信インタフェース部１１８を介して実際に接続されている外付けＨＤＤ１１０Ｅ１〜１１０Ｅｎにコンテンツデータを録画する。ここで、ＨＤＤ１１０及び外付けＨＤＤ１１０Ｅ１〜１１０Ｅｎは、同様の構成となっており、ループ録画領域１１０Ａ及びＰＶＲ録画領域１１０Ｂを備えている。なお、ループ録画領域１１０Ａの詳細については、後に詳述する。
【００１９】
そして、ループ録画部１０６は、ＨＤＤ１１０あるいは外付けＨＤＤ１１０Ｅ１〜１１０Ｅｎのループ録画領域１１０Ａの先頭から順にコンテンツデータを録画し、末尾まで録画すると、再度先頭から録画（上書き）する。
【００２０】
また、ループ録画部１０６は、ＨＤＤ１１０あるいは外付けＨＤＤ１１０Ｅ１〜１１０Ｅｎのループ録画領域１１０Ａに録画されたコンテンツデータを一定の時間経過後に消去するようにすることも可能である。
また、ループ録画部１０６は、ループ録画領域１１０Ａに録画されたコンテンツデータの容量が所定の容量を超えた場合に消去するようにすることも可能である。
【００２１】
また、ループ録画部１０６は、後述のシステムコントローラ１１７からループ録画方式で録画を行う時間帯の指定を受け付け、指定された時間帯内にチューナ部１０１に受信される複数のストリームをループ録画方式でＨＤＤ１１０あるいは外付けＨＤＤ１１０Ｅ１〜１１０Ｅｎのループ録画領域１１０Ａに録画する。また、ループ録画部１０６は、後述のシステムコントローラ１１７からループ録画方式で録画を行う複数のチャンネルの指定を受け付け、指定された複数のチャンネルの複数のストリームをループ録画方式でＨＤＤ１１０あるいは外付けＨＤＤ１１０Ｅ１〜１１０Ｅｎのループ録画領域１１０Ａに録画する。
【００２２】
ＰＶＲ録画部１０７は、通常の録画方式であるＰＶＲ録画方式でＨＤＤ１１０にストリームを録画する。具体的には、ＰＶＲ録画部１０７は、ＨＤＤ１１０のＰＶＲ録画領域１１０Ｂにストリームを録画する。なお、ＰＶＲ録画部１０７は、後述のシステムコントローラ１１７から消去が指示されるまで、ＰＶＲ録画領域１１０Ｂに録画されたストリームを消去せず、保存する。
【００２３】
なお、ループ録画部１０６及びＰＶＲ録画部１０７は、ストリームを録画した番組のチャンネルを示すチャンネル情報、ストリームを録画した番組の番組名、ストリームを録画した録画日時、コンテンツデータの再生履歴などの情報をストリームに付加して、ＨＤＤ１１０のループ録画領域１１０ＡあるいはＰＶＲ録画領域１１０Ｂへ記録する。
【００２４】
変更部１０８は、ループ録画方式で録画されたストリーム（コンテンツデータ）の録画方式をＰＶＲ録画方式に変更する。具体的には、変更部１０８は、ループ録画領域１１０Ａに録画されているコンテンツデータをＰＶＲ録画領域１１０Ｂに移動したり、コピーしたりする。この際、変更部１０８は、コピー制御情報を更新する。これにより、ループ録画領域１１０ＡからＰＶＲ録画領域１１０Ｂに移動又はコピーされたストリームを判別できるようになっている。
【００２５】
再生部１０９は、記録対象チャンネルＣｈ１〜ＣｈＮのトランスポートストリームから抽出したコンテンツデータやＨＤＤ１１０に録画されたコンテンツデータを再生するため、ＭＰＥＧデコーダ１１４に出力する。
【００２６】
ＥＰＧ処理部１１２は、記録対象チャンネルＣｈ１〜ＣｈＮのトランスポートストリームから、各チャンネルの各時間帯の番組を示す番組情報（ＳＩ情報）であるＥＰＧ情報を抽出し、ＥＰＧメモリ１１３に記憶する。また、ＥＰＧ処理部１１２は、ＥＰＧメモリ１１３に記憶されているＥＰＧ情報を常に新しい内容に更新するため、Ｃｈ１〜ＣｈＮのトランスポートストリームからＥＰＧ情報を抽出し、抽出したＥＰＧ情報でＥＰＧメモリ１１３に記憶されているＥＰＧ情報を更新する。
【００２７】
なお、本実施形態では、日本の地上ディジタル放送のように記録対象チャンネルＣｈ１〜ＣｈＮの各トランスポートストリームから各チャンネルのＥＰＧ情報を抽出するものとするが、これに限定するものではない。例えば、ＢＳ（Broadcasting Satellite）ディジタル放送のように各チャンネルにＢＳ全チャンネルのＥＰＧ情報が多重されている場合もある。いずれにしても、ＥＰＧ処理部１１２は、自装置で受信可能なチャンネル数分のＥＰＧ情報を抽出し、ＥＰＧメモリ１１３に記憶する。
【００２８】
また、ＥＰＧ処理部１１２は、後述のシステムコントローラ１１７から番組表の表示指示を受け、ＥＰＧメモリ１１３に記憶されているＥＰＧ情報を取得し、取得したＥＰＧ情報をチャンネル毎に時系列に並べた番組表の番組表データを表示制御部１１５に出力する。
【００２９】
ＭＰＥＧデコーダ１１４は、録画再生部１０５から入力されたトランスポートストリームにＭＰＥＧ２デコード処理を施し、表示制御部１１５に出力する。
表示制御部１１５は、ＥＰＧ処理部１１２から出力された番組表データやＭＰＥＧデコーダ１１４から出力されたトランスポートストリームを、テレビジョン信号として、表示部１２０に出力する。
【００３０】
また本実施形態では、ループ録画方式で録画されたトランスポートストリームの一覧は、ＥＰＧ処理部１１２により番組表形式で作成され、表示制御部１１５により表示部１２０に表示される。また、ＰＶＲ録画方式で録画されたトランスポートストリームの一覧は、録画再生部１０５により作成され、表示制御部１１５により表示部１２０に表示される。
【００３１】
そして表示制御部１１５は、ループ録画方式で録画されたトランスポートストリームの一覧、又はＰＶＲ録画方式で録画されたトランスポートストリームの一覧を表示部１２０に表示する際、変更部１０８によりループ録画方式からＰＶＲ録画方式に変更されたトランスポートストリームを他のトランスポートストリームと異なる表示態様で表示する。
【００３２】
具体的には、表示制御部１１５は、ループ録画方式で録画されたトランスポートストリームの一覧、又はＰＶＲ録画方式で録画されたトランスポートストリームの一覧を表示部１２０に表示する際、ループ録画領域１１０ＡからＰＶＲ録画領域１１０Ｂに移動又はコピーされたトランスポートストリームにマークなどのシンボルを付して表示する。
【００３３】
表示部１２０は、表示制御部１１５から入力されたテレビジョン信号に基づいて番組を表示したり、ループ録画方式で録画されたトランスポートストリームの一覧やＰＶＲ録画方式で録画されたトランスポートストリームの一覧を表示したりする。なお、表示部１２０は、液晶ディスプレイ、プラズマディスプレイ、又は有機ＥＬディスプレイなどにより実現できる。
【００３４】
リモコン受信部１１６は、リモコン１３０から、ループ録画方式で記録（録画）を行う時間帯やチャンネルの指定、ＰＶＲ録画方式での記録（録画）指示、ＰＶＲ録画方式で記録（録画）されたコンテンツデータの削除指示、ループ録画領域１１０ＡからＰＶＲ録画領域１１０Ｂへのトランスポート（コンテンツデータ）の移動やコピーの指示、ＨＤＤ１１０に録画されたトランスポートストリームの再生指示、ループ録画領域１１０Ａに録画されている番組の一覧やＰＶＲ録画領域１１０Ｂに録画されている番組の一覧の表示指示などを受け付け、システムコントローラ１１７へ通知する。
【００３５】
システムコントローラ１１７は、テレビジョン受信装置１００全体を制御する。例えば、システムコントローラ１１７は、リモコン受信部１１６からの通知を受け、テレビジョン受信装置１００の各部にリモコン受信部１１６からの通知に応じた制御や指示を行う。
【００３６】
次に、本実施形態のテレビジョン受信装置１００の動作説明に先立ち、ループ録画領域の構成について説明する。
ループ録画領域１１０Ａとしては、ＨＤＤを、制御情報を含むメインディスクとして用いる場合と、ＨＤＤを、制御情報を含まないブランチディスク（サブディスク）として用いる場合と、で異なっている。
【００３７】
以下、ＨＤＤを再生時の制御情報を含むメインディスクとして用いる場合のループ録画領域１１０Ａ及びＨＤＤを再生時の制御情報を含まないブランチディスクとして用いる場合のループ録画領域１１０ＡＥの構成について説明する。
ループ録画領域１１０Ａとループ録画領域１１０ＡＥとは、実際の録画を行う領域については同様の構成となっているが、制御用データの格納領域の構成が多少異なっている。
【００３８】
図３は、ループ録画領域の説明図である。
ループ録画領域１１０Ａは、図３（ａ）に示すように、大別すると、基本情報格納領域１４１と、ループ録画データ格納領域１４２と、制御情報格納領域１４３と、を備えている。
これに対しループ録画領域１１０ＡＥは、図３（ｂ）に示すように、基本情報格納領域１４１と、ループ録画データ格納領域１４２と、を備えており、制御情報格納領域１４３は備えていない。
【００３９】
基本情報格納領域１４１は、当該ディジタル放送記録装置でループ録画に利用可能なＨＤＤの数、及び各ＨＤＤの容量及び各ＨＤＤに記録するディジタル放送のチャンネルに関する情報が格納されている。
ループ録画データ格納領域１４２は、一定の容量の複数のセグメントＳＧ１〜ＳＧｎ（あるいはＳＧ１〜ＳＧｍ）に分割されており、各セグメントＳＧ１〜ＳＧｎ（あるいはＳＧ１〜ＳＧｍ）は、記録対象チャンネル毎に割り当てられる。そして、チューナを介して受信したチャンネル毎のトランスポートストリームは、所定の圧縮率（適宜ユーザにより設定可能）で圧縮して各記録対象チャンネルに対応するセグメントに順次格納される。
【００４０】
制御情報格納領域１４３は、全てのＨＤＤについて再生時に利用される情報（例えば、ＲＡＴ［Random Access Table］など）を格納する領域である。
【００４１】
次に実施形態の動作を説明する。
以下の説明においては、
［１］ＨＤＤを追加登録する場合の動作、
［２］ＨＤＤを追加登録した後に、さらにＨＤＤを追加登録する場合の動作、
［３］追加登録したＨＤＤを一時的に取り外す場合の動作、
［４］追加登録したＨＤＤの登録解除を行う場合の動作、
［５］ループ録画の開始後に同一ＨＤＤ内で同時記録するチャンネルを追加する場合の動作、
［６］ループ録画の開始後に同一ＨＤＤ内で同時記録していたチャンネルを削除する場合の動作、
に分けて説明する。
【００４２】
［１］ＨＤＤを追加登録する場合の動作
［１．１］ＨＤＤを追加登録して同時に記録する記録対象チャンネルを追加する場合の動作
ここでは、初期状態において、追加登録している外付けＨＤＤはないものとして、外付けＨＤＤ１１０Ｅ１を追加登録して同時に記録する記録対象チャンネルを追加する場合の動作について説明する。この場合において、外付けＨＤＤ１１０Ｅ１は、制御情報を含むメインディスクとして登録されることとなる。
【００４３】
図４は、ＨＤＤを追加登録して同時に記録する記録対象チャンネルを追加する場合の処理フローチャートである。
まず、システムコントローラ１１７は、録画再生部１０５がループ録画動作中であるか否かを判別する（ステップＳ１１）。
ステップＳ１１の判別において、録画再生部１０５がループ録画動作中である場合には（ステップＳ１１；Ｙｅｓ）、ループ録画動作を停止し（ステップＳ１２）、処理をステップＳ１３に移行する。
【００４４】
ステップＳ１１の判別において、録画再生部１０５がループ録画動作中ではない場合には（ステップＳ１１；Ｎｏ）、追加登録するＨＤＤ１１０Ｅ１を通信インタフェース部１１８を介して接続する（ステップＳ１３）。
これにより、システムコントローラ１１７は、表示部１２０にＨＤＤの登録／登録解除に関する設定メニューを表示する（ステップＳ１４）。
【００４５】
図５は、設定メニュー表示画面の一例の説明図である。
これにより、ユーザが、ＨＤＤ追加登録（同時記録チャンネル追加）ボタンＴＢ１をリモコン１３０により選択し確定することにより追加登録実行指示動作を行うと（ステップＳ１５）、システムコントローラ１１７は、追加登録処理に移行する（ステップＳ１６）。
【００４６】
図６は、ＨＤＤの追加登録（同時記録チャンネル追加）処理の処理フローチャートである。
まず、システムコントローラ１１７は、録画再生部１０５に実効的な制御を移行させ、既存ＨＤＤであるＨＤＤ１１０の基本情報格納領域１４１に格納されている基本情報（同時記録チャンネル数、記録対象チャンネル番号等）を更新する（ステップＳ２１）。
続いて録画再生部１０５は、追加ＨＤＤであるＨＤＤ１１０Ｅ１の基本情報格納領域１４１に格納されている基本情報を初期化する（ステップＳ２２）。
【００４７】
続いて、録画再生部１０５は、追加ＨＤＤであるＨＤＤ１１０Ｅ１の制御情報格納領域１４３の制御情報（ＲＡＴ：Random Access Table等）を初期化する（ステップＳ２３）。
これにより、追加ＨＤＤであるＨＤＤ１１０Ｅ１は、メインディスクとして登録されることとなる。
そして、ループ録画が開始されると（ステップＳ１７）、ＨＤＤ１１０及びＨＤＤ１１０Ｅ１は、基本情報格納領域１４１に格納されている基本情報に基づいて、記録対象チャンネルのトランスポートストリームを所定の圧縮率でループ録画することとなる。
【００４８】
次に具体例について説明する。
図７は、ＨＤＤを追加登録して同時に記録するチャンネルを追加する場合の具体例の説明図である。
初期状態において、既存ＨＤＤであるＨＤＤ１１０のループ録画データ格納領域１４２には、セグメントＳＧ０〜ＳＧ１１が存在している。
セグメントＳＧ０〜ＳＧ３の４つのセグメントは、予め設定した第１のチャンネルＣｈ１に対応するトランスポートストリームを所定の圧縮率でループ録画している。
また、セグメントＳＧ４〜ＳＧ７の４つのセグメントは、予め設定した第２のチャンネルＣｈ２に対応するトランスポートストリームを所定の圧縮率でループ録画している。
さらに、セグメントＳＧ８〜ＳＧ１１の４つのセグメントは、予め設定した第３のチャンネルＣｈ３に対応するトランスポートストリームを所定の圧縮率でループ録画している。
【００４９】
上記状態において、ＨＤＤ１１０Ｅ１を追加登録して、同時に記録するチャンネルを二つ追加（チャンネルＣｈ４及びチャンネルＣｈ５を追加）したとすると、システムコントローラ１１７は、録画再生部１０５に実効的な制御を移行させ、ＨＤＤ１１０の基本情報格納領域１４１に格納されている基本情報を更新し、同時記録チャンネル数＝３→５とし、記録対象チャンネル番号＝Ｃｈ１〜Ｃｈ３→Ｃｈ１〜Ｃｈ５と更新する（ステップＳ２１）。
続いて録画再生部１０５は、追加したＨＤＤ１１０Ｅ１の基本情報格納領域１４１に格納されている基本情報を初期化し、同時記録チャンネル数＝５とし、ＨＤＤ１１０Ｅ１のセグメントＳＧ０〜ＳＧ３の記録対象チャンネル番号＝Ｃｈ４とし、セグメントＳＧ４〜ＳＧ７の記録対象チャンネル番号＝Ｃｈ５とし、記録対象チャンネル番号＝Ｃｈ１〜Ｃｈ５とする（ステップＳ２２）。
【００５０】
続いて、録画再生部１０５は、追加ＨＤＤであるＨＤＤ１１０Ｅ１の制御情報格納領域１４３の制御情報（ＲＡＴ：Random Access Table等）を初期化する（ステップＳ２３）。  これにより、追加ＨＤＤであるＨＤＤ１１０Ｅ１は、メインディスクとして登録され、ループ録画が開始されることとなる。
以上の説明のように、ＨＤＤを追加登録して同時に記録するチャンネルを追加する場合でも、既存ＨＤＤであるＨＤＤ１１０の録画済みのデータには何らの影響を与えることがなく、再生することが可能となっている。
【００５１】
［１．２］ＨＤＤを追加登録してチャンネル毎の記録容量を増加する（記録領域を拡張する）場合の動作
ここでは、初期状態において、追加登録している外付けＨＤＤはないものとして、外付けＨＤＤ１１０Ｅ１を追加登録して同時に記録するチャンネルを追加する場合の動作について説明する。この場合において、外付けＨＤＤ１１０Ｅ１は、制御情報を含まないブランチディスクとして登録されることとなる。
【００５２】
再び、図４を参照して、ＨＤＤを追加登録して同時に記録するチャンネルを追加する場合の処理フローチャートである。
まず、システムコントローラ１１７は、録画再生部１０５がループ録画動作中であるか否かを判別する（ステップＳ１１）。
ステップＳ１１の判別において、録画再生部１０５がループ録画動作中である場合には（ステップＳ１１；Ｙｅｓ）、ループ録画動作を停止し（ステップＳ１２）、処理をステップＳ１３に移行する。
【００５３】
ステップＳ１１の判別において、録画再生部１０５がループ録画動作中ではない場合には（ステップＳ１１；Ｎｏ）、追加登録するＨＤＤ１１０Ｅ１を通信インタフェース部１１８を介して接続する（ステップＳ１３）。
これにより、システムコントローラ１１７は、表示部１２０にＨＤＤの登録／登録解除に関する設定メニューを表示する（ステップＳ１４）。
【００５４】
これにより、ユーザが、ＨＤＤ追加登録（録画領域拡張）ボタンＴＢ２をリモコン１３０により選択し確定することにより追加登録実行指示動作を行うと（ステップＳ１５）、システムコントローラ１１７は、追加登録処理に移行する（ステップＳ１６）。
【００５５】
図８は、ＨＤＤの追加登録（同時記録チャンネル追加）処理の処理フローチャートである。
まず、システムコントローラ１１７は、既存ＨＤＤであるＨＤＤ１１０が既に実体的にループ記録状態、すなわち、ループ録画に用いるセグメントＳＧのうち、未記録部分を有するセグメントＳＧが存在するか否かを判別する（ステップＳ３１）。
ステップＳ３１の判別において、既存ＨＤＤであるＨＤＤ１１０が実体的なループ記録状態ではなく、ループ録画に用いるセグメントＳＧのうち、未記録部分を有するセグメントＳＧが存在する場合には（ステップＳ３１；Ｎｏ）、録画再生部１０５に実効的な制御を移行させ、既存ＨＤＤであるＨＤＤ１１０の基本情報格納領域１４１に格納されている基本情報（同時記録チャンネル数、記録対象チャンネル番号等）を更新する（ステップＳ３２）。
続いて録画再生部１０５は、追加ＨＤＤであるＨＤＤ１１０Ｅ１の基本情報格納領域１４１に格納されている基本情報を初期化する（ステップＳ３３）。
【００５６】
これにより、追加ＨＤＤであるＨＤＤ１１０Ｅ１は、ブランチディスクとして登録されることとなる。
そして、ループ録画が開始されると（ステップＳ１７）、ＨＤＤ１１０及びＨＤＤ１１０Ｅ１は、一体となって、基本情報格納領域１４１に格納されている基本情報に基づいて、記録対象チャンネルの記録領域が拡張された状態で、トランスポートストリームを所定の圧縮率でループ録画することとなる。
【００５７】
ステップＳ３１の判別において、既存ＨＤＤであるＨＤＤ１１０が実体的なループ記録状態であり、ループ録画に用いるセグメントＳＧのうち、未記録部分を有するセグメントＳＧが存在しない場合には（ステップＳ３１；Ｙｅｓ）、録画再生部１０５に実効的な制御を移行させ、既存ＨＤＤであるＨＤＤ１１０及び追加ＨＤＤであるＨＤＤ１１０Ｅ１のセグメントマップ（ＨＤＤ内のセグメントＳＧの番号と、同一の記録対象チャンネルに対応するセグメントＳＧの番号との対応付け）が所定の条件を満たすように既存ＨＤＤであるＨＤＤ１１０の基本情報格納領域１４１に格納されている基本情報（同時記録チャンネル数、記録対象チャンネル番号等）を更新し、追加ＨＤＤであるＨＤＤ１１０Ｅ１の基本情報格納領域１４１に格納されている基本情報を初期化する（ステップＳ３４）。
ここで、所定の条件とは、既に記録済みのトランスポートストリームが破棄されず、かつ、各ＨＤＤ内のセグメントＳＧのストリーム記録順番が維持されるということである。
【００５８】
これにより、追加ＨＤＤであるＨＤＤ１１０Ｅ１は、ブランチディスクとして登録されることとなる。
そして、ループ記録（録画）が開始されると（ステップＳ１７）、ＨＤＤ１１０及びＨＤＤ１１０Ｅ１は、一体となって、基本情報格納領域１４１に格納されている基本情報に基づいて、記録対象チャンネルの記録領域が拡張された状態で、トランスポートストリームを所定の圧縮率でループ記録（録画）することとなる。
【００５９】
より詳細には、直前で録画を行っていた既存ＨＤＤであるＨＤＤ１１０のセグメントＳＧにおいてループ録画停止位置の直後の記録位置から録画を開始するとともに、全ての未記録のセグメントＳＧに対する録画が完了すると、追加ＨＤＤであるＨＤＤ１１０Ｅ１のセグメントＳＧに記録位置を移行し、追加ＨＤＤであるＨＤＤ１１０Ｅ１の所定のセグメントＳＧに対する記録が全て完了した時点で、既存ＨＤＤであるＨＤＤ１１０において、チャンネル毎に最初に録画を行うべきセグメント（チャンネル毎に最も古く記録がなされたセグメント）を録画対象のセグメントＳＧとする。
【００６０】
次に具体例について説明する。
図９は、ＨＤＤを追加登録してチャンネル毎の記録容量を増加する（記録領域を拡張する）場合であって、既存ＨＤＤが実体的にループ記録状態となっていない場合の具体例の説明図である。
初期状態において、既存ＨＤＤであるＨＤＤ１１０のループ録画データ格納領域１４２には、セグメントＳＧ０〜ＳＧ１１が存在している。
【００６１】
セグメントＳＧ０〜ＳＧ３の４つのセグメントは、予め設定した第１のチャンネルＣｈ１に対応するトランスポートストリームを所定の圧縮率でループ録画する領域であり、現在セグメントＳＧ１の途中まで記録（録画）がなされており、セグメントＳＧ２及びセグメントＳＧ３は、未だ未記録状態である。
また、セグメントＳＧ４〜ＳＧ７の４つのセグメントは、予め設定した第２のチャンネルＣｈ２に対応するトランスポートストリームを所定の圧縮率でループ録画する領域であり、現在セグメントＳＧ４の途中まで記録（録画）がなされており、セグメントＳＧ５〜セグメントＳＧ７は、未だ未記録状態である。
【００６２】
また、セグメントＳＧ８〜ＳＧ１１の４つのセグメントは、予め設定した第３のチャンネルＣｈ３に対応するトランスポートストリームを所定の圧縮率でループ録画する領域であり、現在セグメントＳＧ１０の途中まで記録（録画）がなされており、セグメントＳＧ１１は、未だ未記録状態である。
【００６３】
上記状態において、ＨＤＤ１１０Ｅ１を追加登録して、各チャンネルＣｈ１〜Ｃｈ３について、それぞれ４つのセグメントで構成されたループ録画領域を６つのセグメントで構成されるループ録画領域に拡張する場合について説明する。
これにより、システムコントローラ１１７は、録画再生部１０５に実効的な制御を移行させ、ＨＤＤ１１０の基本情報格納領域１４１に格納されている基本情報を更新し、同時記録チャンネル数＝３とし、記録対象チャンネル番号＝Ｃｈ１〜Ｃｈ３とし、記録チャンネル毎のセグメント数＝４→６と、更新する（ステップＳ３２）。
【００６４】
続いて録画再生部１０５は、追加したＨＤＤ１１０Ｅ１の基本情報格納領域１４１に格納されている基本情報を初期化し、同時記録チャンネル数＝３とし、ＨＤＤ１１０Ｅ１のセグメントＳＧ０〜ＳＧ１の記録対象チャンネル番号＝Ｃｈ１とし、セグメントＳＧ２〜ＳＧ３の記録対象チャンネル番号＝Ｃｈ２とし、セグメントＳＧ４〜ＳＧ５の記録対象チャンネル番号＝Ｃｈ３とする（ステップＳ３３）。
【００６５】
これにより、追加ＨＤＤであるＨＤＤ１１０Ｅ１は、ブランチディスクとして登録され、ループ録画が開始されることとなる。
この結果、例えば、記録チャンネルＣｈ１について見れば、ＨＤＤ１１０のセグメントＳＧ１への記録が完了後、ＨＤＤ１１０のセグメントＳＧ２→ＨＤＤ１１０のセグメントＳＧ３→ＨＤＤ１１０Ｅ１のセグメントＳＧ０→ＨＤＤ１１０Ｅ１のセグメントＳＧ１→ＨＤＤ１１０のセグメントＳＧ０→ＨＤＤ１１０のセグメントＳＧ１→…という順番で記録（録画）が行われることとなる。
【００６６】
図１０は、ＨＤＤを追加登録してチャンネル毎の記録容量を増加する（記録領域を拡張する）場合であって、既存ＨＤＤが実体的にループ記録状態となっている場合の具体例の説明図である。
初期状態において、既存ＨＤＤであるＨＤＤ１１０のループ録画データ格納領域１４２には、セグメントＳＧ０〜ＳＧ１１が存在している。
セグメントＳＧ０〜ＳＧ３の４つのセグメントは、予め設定した第１のチャンネルＣｈ１に対応するトランスポートストリームを所定の圧縮率でループ録画する領域であり、現在セグメントＳＧ１の途中まで上書き記録（録画）がなされており、セグメントＳＧ２及びセグメントＳＧ３には、前回の記録がなされている状態である。
【００６７】
また、セグメントＳＧ４〜ＳＧ７の４つのセグメントは、予め設定した第２のチャンネルＣｈ２に対応するトランスポートストリームを所定の圧縮率でループ録画する領域であり、現在セグメントＳＧ４の途中まで上書き記録（録画）がなされており、セグメントＳＧ５〜セグメントＳＧ７には、前回の記録がなされている状態である。
また、セグメントＳＧ８〜ＳＧ１１の４つのセグメントは、予め設定した第３のチャンネルＣｈ３に対応するトランスポートストリームを所定の圧縮率でループ録画する領域であり、現在セグメントＳＧ１０の途中まで上書き記録（録画）がなされており、セグメントＳＧ１１には、前回の記録がなされている状態である。
【００６８】
上記状態において、ＨＤＤ１１０Ｅ１を追加登録して、各チャンネルＣｈ１〜Ｃｈ３について、それぞれ４つのセグメントで構成されたループ録画領域を６つのセグメントで構成されるループ録画領域に拡張する場合について説明する。
これにより、システムコントローラ１１７は、録画再生部１０５に実効的な制御を移行させ、ＨＤＤ１１０の基本情報格納領域１４１に格納されている基本情報を更新し、同時記録チャンネル数＝３とし、記録対象チャンネル番号＝Ｃｈ１〜３とし、記録チャンネル毎のセグメント数＝４→６と、更新し、追加したＨＤＤ１１０Ｅ１の基本情報格納領域１４１に格納されている基本情報を初期化し、同時記録チャンネル数＝５とし、ＨＤＤ１１０Ｅ１のセグメントＳＧ０〜ＳＧ１の記録対象チャンネル番号＝Ｃｈ１とし、セグメントＳＧ２〜ＳＧ３の記録対象チャンネル番号＝Ｃｈ２とし、セグメントＳＧ４〜ＳＧ５の記録対象チャンネル番号＝Ｃｈ３とする。
【００６９】
このとき、既存ＨＤＤであるＨＤＤ１１０の第１のチャンネルＣｈ１に対応するセグメントＳＧ２〜ＳＧ３には、既に前回の記録がなされているので、現在記録を行っているセグメントＳＧ１に対する記録が完了した場合には、追加ＨＤＤであるＨＤＤ１１０Ｅ１のセグメントＳＧ０を次の記録対象として、セグメントＳＧ２〜ＳＧ３に記録されている最も古いデータに対する上書きが行われないようにする。そして、追加ＨＤＤであるＨＤＤ１１０Ｅ１の全てのセグメントであるセグメントＳＧ０及びセグメントＳＧ１に対する記録が完了した時点で、既存ＨＤＤであるＨＤＤ１１０のセグメントＳＧ２に上書き記録を行うようにする。
【００７０】
この結果、例えば、記録対象チャンネルＣｈ１について見れば、ＨＤＤ１１０のセグメントＳＧ１への記録が完了後、追加ＨＤＤであるＨＤＤ１１０Ｅ１のセグメントＳＧ０→ＨＤＤ１１０Ｅ１のセグメントＳＧ１→既存ＨＤＤであるＨＤＤ１１０のセグメントＳＧ２（上書き）→ＨＤＤ１１０のセグメントＳＧ３（上書き）→ＨＤＤ１１０のセグメントＳＧ０→ＨＤＤ１１０のセグメントＳＧ１→ＨＤＤ１１０Ｅ１のセグメントＳＧ０→…という順番で記録（録画）が行われることとなる。
以上の説明のように、ＨＤＤを追加登録して録画領域を拡張する場合でも、既存ＨＤＤであるＨＤＤ１１０の録画済みのデータには何らの影響を与えることがなく、再生することが可能となっている。
【００７１】
［２］ＨＤＤを追加登録した後に、さらにＨＤＤを追加登録する場合の動作
［２．１］ＨＤＤを追加登録した後に、ＨＤＤを追加登録して同時に記録する記録対象チャンネルを追加する場合の動作
この場合の動作については、［１．１］で説明したＨＤＤを追加登録して同時に記録する記録対象チャンネルを追加する場合の動作と同様であるため、詳細な説明を省略するが、例えば、ＨＤＤ１１０に対して、外付けＨＤＤ１１０Ｅ１を追加登録した後、さらに外付けＨＤＤ１１０Ｅ２を追加登録して同時に記録するチャンネルを追加する場合でも、既存ＨＤＤであるＨＤＤ１１０の録画済みのデータ及び前回追加した外付けＨＤＤ１１０Ｅ１の録画済みのデータには何らの影響を与えることがなく、再生することが可能となっている。
【００７２】
［２．２］ＨＤＤを追加登録した後に、ＨＤＤを追加登録して記録対象チャンネル毎の記録容量を増加する（記録領域を拡張する）場合の動作
【００７３】
再び、図８を参照して、ＨＤＤを追加登録した後に、ＨＤＤを追加登録して記録対象チャンネル毎の記録容量を増加する（記録領域を拡張する）場合の動作について説明する。
まず、システムコントローラ１１７は、既存ＨＤＤであるＨＤＤ１１０及びＨＤＤ１１０Ｅ１全体として、既に実体的にループ記録状態、すなわち、ループ録画に用いるセグメントＳＧのうち、未記録部分を有するセグメントＳＧが存在するか否かを判別する（ステップＳ３１）。
【００７４】
ステップＳ３１の判別において、既存ＨＤＤであるＨＤＤ１１０及びＨＤＤ１１０Ｅ１全体が実体的なループ記録状態ではなく、ループ録画に用いるセグメントＳＧのうち、未記録部分を有するセグメントＳＧが存在する場合には（ステップＳ３１；Ｎｏ）、録画再生部１０５に実効的な制御を移行させ、既存ＨＤＤであるＨＤＤ１１０及びＨＤＤ１１０Ｅ１のそれぞれの基本情報格納領域１４１に格納されている基本情報（同時記録チャンネル数、記録対象チャンネル番号等）を更新する（ステップＳ３２）。
続いて録画再生部１０５は、追加ＨＤＤであるＨＤＤ１１０Ｅ２の基本情報格納領域１４１に格納されている基本情報を初期化する（ステップＳ３３）。
【００７５】
これにより、追加ＨＤＤであるＨＤＤ１１０Ｅ２は、ブランチディスクとして登録されることとなる。
そして、ループ録画が開始されると（ステップＳ１７）、ＨＤＤ１１０、ＨＤＤ１１０Ｅ１及びＨＤＤ１１０Ｅ２は、一体となって、基本情報格納領域１４１に格納されている基本情報に基づいて、記録対象チャンネルの記録領域が拡張された状態で、トランスポートストリームを所定の圧縮率でループ録画することとなる。
【００７６】
ステップＳ３１の判別において、既存ＨＤＤであるＨＤＤ１１０及びＨＤＤ１１０Ｅ１全体として、既に実体的なループ記録状態であり、ループ録画に用いるセグメントＳＧのうち、未記録部分を有するセグメントＳＧが存在しない場合には（ステップＳ３１；Ｙｅｓ）、録画再生部１０５に実効的な制御を移行させ、既存ＨＤＤであるＨＤＤ１１０及びＨＤＤ１１０Ｅ１並びに追加ＨＤＤであるＨＤＤ１１０Ｅ２のセグメントマップ（ＨＤＤ内のセグメントＳＧの番号と、同一の記録対象チャンネルに対応するセグメントＳＧの番号との対応付け）が所定の条件を満たすように既存ＨＤＤであるＨＤＤ１１０及びＨＤＤ１１０Ｅ１のそれぞれの基本情報格納領域１４１に格納されている基本情報（同時記録チャンネル数、記録対象チャンネル番号等）を更新し、追加ＨＤＤであるＨＤＤ１１０Ｅ２の基本情報格納領域１４１に格納されている基本情報を初期化する（ステップＳ３４）。
ここにおいても、所定の条件とは、既に記録済みのトランスポートストリームが破棄されず、かつ、各ＨＤＤ内のセグメントＳＧのストリーム記録順番が維持されるということである。
【００７７】
これにより、追加ＨＤＤであるＨＤＤ１１０Ｅ２は、ブランチディスクとして登録されることとなる。
そして、ループ記録（録画）が開始されると（ステップＳ１７）、ＨＤＤ１１０、ＨＤＤ１１０Ｅ１及びＨＤＤ１１０Ｅ２は、一体となって、基本情報格納領域１４１に格納されている基本情報に基づいて、記録対象チャンネルの記録領域が拡張された状態で、トランスポートストリームを所定の圧縮率でループ記録（録画）することとなる。
より詳細には、直前で記録（録画）を行っていた既存ＨＤＤであるＨＤＤ１１０のセグメントＳＧにおいてループ記録（録画）停止位置の直後の記録位置から記録（録画）を開始するとともに、全ての未記録のセグメントＳＧに対する録画が完了すると、追加ＨＤＤであるＨＤＤ１１０Ｅ１のセグメントＳＧに記録位置を移行し、追加ＨＤＤであるＨＤＤ１１０Ｅ１の所定のセグメントＳＧに対する記録が全て完了した時点で、既存ＨＤＤであるＨＤＤ１１０に記録を行うようになる。
【００７８】
次に具体例について説明する。
図１１は、ＨＤＤを追加登録した後にさらにＨＤＤを追加登録してチャンネル毎の記録容量を増加する（記録領域を拡張する）場合であって、既存ＨＤＤが実体的にループ記録状態となっていない場合の具体例の説明図である。
初期状態において、既存ＨＤＤであるＨＤＤ１１０のループ録画データ格納領域１４２には、セグメントＳＧ０〜ＳＧ１１が存在している。
【００７９】
また、既存ＨＤＤであり、前回追加登録されたＨＤＤ１１０Ｅ１のループ録画データ格納領域１４２には、セグメントＳＧ０〜ＳＧ５が存在している。
ＨＤＤ１１０のセグメントＳＧ０〜ＳＧ３の４つのセグメントは、予め設定した第１のチャンネルＣｈ１に対応するトランスポートストリームを所定の圧縮率でループ録画する領域であり、セグメントＳＧ２及びセグメントＳＧ３は、未だ未記録状態である。
また、ＨＤＤ１１０のセグメントＳＧ４〜ＳＧ７の４つのセグメントは、予め設定した第２のチャンネルＣｈ２に対応するトランスポートストリームを所定の圧縮率でループ録画する領域であり、現在セグメントＳＧ６の途中まで記録（録画）がなされており、セグメントＳＧ７は、未だ未記録状態である。
【００８０】
また、セグメントＳＧ８〜ＳＧ１１の４つのセグメントは、予め設定した第３のチャンネルＣｈ３に対応するトランスポートストリームを所定の圧縮率でループ録画する領域であり、現在セグメントＳＧ９の途中まで記録（録画）がなされており、セグメントＳＧ１０〜ＳＧ１１は、未だ未記録状態である。
【００８１】
上記状態において、ＨＤＤ１１０Ｅ２をさらに追加登録して、各チャンネルＣｈ１〜Ｃｈ３について、それぞれ６つのセグメントで構成されたループ録画領域を９つのセグメントで構成されるループ録画領域に拡張する場合について説明する。
これにより、システムコントローラ１１７は、録画再生部１０５に実効的な制御を移行させ、ＨＤＤ１１０及びＨＤＤ１１０Ｅ１の基本情報格納領域１４１に格納されている基本情報を更新し、同時記録チャンネル数＝３とし、記録対象チャンネル番号＝Ｃｈ１〜３とし、記録チャンネル毎のセグメント数＝６→９と、更新する（ステップＳ３２）。
【００８２】
続いて録画再生部１０５は、追加したＨＤＤ１１０Ｅ２の基本情報格納領域１４１に格納されている基本情報を初期化し、同時記録チャンネル数＝３とし、ＨＤＤ１１０Ｅ２のセグメントＳＧ０〜ＳＧ１の記録対象チャンネル番号＝Ｃｈ１とし、セグメントＳＧ２〜ＳＧ３の記録対象チャンネル番号＝Ｃｈ２とし、セグメントＳＧ４〜ＳＧ５の記録対象チャンネル番号＝Ｃｈ３とする（ステップＳ３３）。
これにより、追加ＨＤＤであるＨＤＤ１１０Ｅ２は、ブランチディスクとして登録され、ループ録画が開始されることとなる。
【００８３】
この結果、例えば、記録チャンネルＣｈ１について見れば、ＨＤＤ１１０Ｅ１のセグメントＳＧ０への記録が完了後、ＨＤＤ１１０Ｅ１のセグメントＳＧ１→ＨＤＤ１１０のセグメントＳＧ２→ＨＤＤ１１０のセグメントＳＧ３→ＨＤＤ１１０Ｅ２のセグメントＳＧ０→ＨＤＤ１１０Ｅ２のセグメントＳＧ１→ＨＤＤ１１０Ｅ２のセグメントＳＧ２→ＨＤＤ１１０のセグメントＳＧ０→ＨＤＤ１１０のセグメントＳＧ１→ＨＤＤ１１０Ｅ１のセグメントＳＧ０→…という順番で記録（録画）が行われることとなる。
【００８４】
図１２は、ＨＤＤを追加登録した後にさらにＨＤＤを追加登録してチャンネル毎の記録容量を増加する（記録領域を拡張する）場合であって、既存ＨＤＤが実体的にループ記録状態となっている場合の具体例の説明図である。
初期状態において、既存ＨＤＤであるＨＤＤ１１０のループ録画データ格納領域１４２には、セグメントＳＧ０〜ＳＧ１１が存在している。
【００８５】
また、既存ＨＤＤであり、前回追加登録されたＨＤＤ１１０Ｅ１のループ録画データ格納領域１４２には、セグメントＳＧ０〜ＳＧ５が存在している。
ＨＤＤ１１０のセグメントＳＧ０〜ＳＧ３の４つのセグメントは、予め設定した第１の記録対象チャンネルＣｈ１に対応するトランスポートストリームを所定の圧縮率でループ録画する領域であり、セグメントＳＧ０〜セグメントＳＧ３には、前回の記録がなされている状態である。
【００８６】
また、ＨＤＤ１１０のセグメントＳＧ４〜ＳＧ７の４つのセグメントは、予め設定した第２の記録対象チャンネルＣｈ２に対応するトランスポートストリームを所定の圧縮率でループ録画する領域であり、現在セグメントＳＧ６の途中まで上書き記録（録画）がなされており、セグメントＳＧ４、セグメントＳＧ５及びセグメントＳＧ７には、前回の記録がなされている状態である。
また、ＨＤＤ１１０のセグメントＳＧ８〜ＳＧ１１の４つのセグメントは、予め設定した第３の記録対象チャンネルＣｈ３に対応するトランスポートストリームを所定の圧縮率でループ録画する領域であり、現在セグメントＳＧ９の途中まで上書き記録（録画）がなされており、セグメントＳＧ８、セグメントＳＧ１０及びセグメントＳＧ１１には、前回の記録がなされている状態である。
【００８７】
ＨＤＤ１１０Ｅ１のセグメントＳＧ０及びセグメントＳＧ１の２つのセグメントは、予め設定した第１の記録対象チャンネルＣｈ１に対応するトランスポートストリームを所定の圧縮率でループ録画する領域であり、現在セグメントＳＧ０の途中まで上書き記録（録画）がなされており、セグメントＳＧ１には、前回の記録がなされている状態である。
また、ＨＤＤ１１０Ｅ１のセグメントＳＧ２及びセグメントＳＧ３の２つのセグメントは、予め設定した第２の記録対象チャンネルＣｈ２に対応するトランスポートストリームを所定の圧縮率でループ録画する領域であり、セグメントＳＧ２〜ＳＧ３には、前回の記録がなされている状態である。
【００８８】
また、ＨＤＤ１１０Ｅ１のセグメントＳＧ４及びセグメントＳＧ５の２つのセグメントは、予め設定した第３の記録対象チャンネルＣｈ３に対応するトランスポートストリームを所定の圧縮率でループ録画する領域であり、セグメントＳＧ４及びセグメントＳＧ５には、前回の記録がなされている状態である。
【００８９】
上記状態において、ＨＤＤ１１０Ｅ２を追加登録して、各記録対象チャンネルＣｈ１〜Ｃｈ３について、それぞれ６つのセグメントで構成されたループ録画領域を９つのセグメントで構成されるループ録画領域に拡張する場合について説明する。
システムコントローラ１１７は、録画再生部１０５に実効的な制御を移行させ、ＨＤＤ１１０及びＨＤＤ１１０Ｅ１の基本情報格納領域１４１に格納されている基本情報を更新し、同時記録チャンネル数＝３とし、記録対象チャンネル番号＝Ｃｈ１〜Ｃｈ３とし、記録チャンネル毎のセグメント数＝６→９と、更新し、追加したＨＤＤ１１０Ｅ２の基本情報格納領域１４１に格納されている基本情報を初期化し、同時記録チャンネル数＝３とし、ＨＤＤ１１０Ｅ２のセグメントＳＧ０〜ＳＧ２の記録対象チャンネル番号＝Ｃｈ１とし、セグメントＳＧ３〜ＳＧ５の記録対象チャンネル番号＝Ｃｈ２とし、セグメントＳＧ６〜ＳＧ８の記録対象チャンネル番号＝Ｃｈ３とする。
【００９０】
このとき、既存ＨＤＤであるＨＤＤ１１０の第１のチャンネルＣｈ１に対応するセグメントＳＧ０〜ＳＧ３及び既存ＨＤＤであるＨＤＤ１１０Ｅ１の第１のチャンネルＣｈ１に対応するセグメントＳＧ１には、既に前回の記録がなされているので、現在記録を行っているＨＤＤ１１０Ｅ１のセグメントＳＧ０に対する記録が完了した場合には、追加ＨＤＤであるＨＤＤ１１０Ｅ２のセグメントＳＧ０を次の記録対象として、セグメントＳＧ１に記録されている最も古いデータに対する上書きが行われないようにする。そして、追加ＨＤＤであるＨＤＤ１１０Ｅ２の全てのセグメントであるセグメントＳＧ０〜セグメントＳＧ２に対する記録が完了した時点で、既存ＨＤＤであるＨＤＤ１１０Ｅ１のセグメントＳＧ１に上書き記録を行うようにする。
【００９１】
この結果、例えば、記録対象チャンネルＣｈ１について見れば、ＨＤＤ１１０Ｅ１のセグメントＳＧ０への記録が完了後、追加ＨＤＤであるＨＤＤ１１０Ｅ２のセグメントＳＧ０→ＨＤＤ１１０Ｅ２のセグメントＳＧ１→ＨＤＤ１１０Ｅ２のセグメントＳＧ２→既存ＨＤＤであるＨＤＤ１１０Ｅ１のセグメントＳＧ１（上書き）→既存ＨＤＤであるＨＤＤ１１０のセグメントＳＧ２（上書き）→ＨＤＤ１１０のセグメントＳＧ３（上書き）→ＨＤＤ１１０のセグメントＳＧ０→ＨＤＤ１１０のセグメントＳＧ１→ＨＤＤ１１０Ｅ１のセグメントＳＧ０→…という順番で記録（録画）が行われることとなる。
【００９２】
以上の説明のように、ＨＤＤを追加登録した後にさらにＨＤＤを追加登録して録画領域を拡張する場合でも、既存ＨＤＤであるＨＤＤ１１０及びＨＤＤ１１０Ｅ１の録画済みのデータには何らの影響を与えることがなく、再生することが可能となっている。
【００９３】
［３］追加登録したＨＤＤを一時的に取り外す場合の動作
［３．１］追加登録したＨＤＤがメインディスクである場合に当該ＨＤＤを一時的に取り外す場合の動作
まず、ＨＤＤ１１０（メインディスク）に対して、追加登録したＨＤＤ（以下の説明では、ＨＤＤ１１０Ｅ１）がメインディスクである場合に、当該追加登録したＨＤＤを一時的に取り外す場合の動作について説明する。
この場合に、追加登録したＨＤＤ１１０Ｅ１を一時的に取り外しても、残されているＨＤＤ１１０に記録されている録画済みのデータに基づいて再生が可能となっている。
【００９４】
図１３は、追加登録したＨＤＤを一時的に取り外す場合の処理フローチャートである。
まず、システムコントローラ１１７は、録画再生部１０５がループ録画動作中であるか否かを判別する（ステップＳ４１）。
ステップＳ４１の判別において、録画再生部１０５がループ録画動作中である場合には（ステップＳ４１；Ｙｅｓ）、ループ録画動作を停止し（ステップＳ４２）、処理をステップＳ４３に移行する。
【００９５】
ステップＳ４１の判別において、録画再生部１０５がループ録画動作中ではない場合には（ステップＳ４１；Ｎｏ）、システムコントローラ１１７は、表示部１２０にＨＤＤの登録／登録解除に関する設定メニューを表示する（ステップＳ４３）。
これにより、ユーザが、図５に示したように、ＨＤＤ取り外しボタンＴＢ３をリモコン１３０により選択し確定することにより一時取り外し指示動作を行うと（ステップＳ４４）、システムコントローラ１１７は、表示部１２０に追加登録したＨＤＤを切り離す操作をユーザに促す表示を行う。これにより、ユーザがＨＤＤ１１０Ｅ１を切り離す処理（ＵＳＢコネクタなどの通信コネクタを通信インタフェース部１１８から引き抜く等の処理）を行うと（ステップＳ４５）、により、システムコントローラ１１７は、一時取り外し処理に移行する（ステップＳ４６）。
【００９６】
図１４は、一時取り外し処理の処理フローチャートである。
システムコントローラ１１７は、残っているＨＤＤであるＨＤＤ１１０の制御情報格納領域からループ録画した過去の番組に関するデータを読み出し過去番組表を表示する（ステップＳ５１）。この場合において、一時的に取り外したＨＤＤ１１０Ｅ１に録画されている番組については、グレイアウト表示（選択不可状態として灰色で薄く表示）する。なお、一部がＨＤＤ１１０に録画されているが、他の一部がＨＤＤ１１０Ｅ１に録画されている番組についてもグレイアウト表示がなされる。したがって、グレイアウト表示ではなく、通常表示がなされている番組であれば、その全てを視聴することが可能となっている。
【００９７】
そして、システムコントローラ１１７は、ユーザが通常表示されている番組のいずれかを選択したか否かを判別する（ステップＳ５２）。
ステップＳ５２の判別において、いずれの番組も選択されない場合には（ステップＳ５２；Ｎｏ）、待機状態となる。
ステップＳ５２の判別において、ユーザによりいずれかの番組が選択された場合には（ステップＳ５２；Ｙｅｓ）、当該選択された番組の再生を行う（ステップＳ５３）。
【００９８】
図１５は、追加登録したＨＤＤがメインディスクである場合に当該ＨＤＤを一時的に取り外す場合の具体例の説明図である。
図１５は、ＨＤＤ１１０Ｅ１を取り外す前の初期状態を示す図であり、ＨＤＤ１１０のループ録画データ格納領域１４２には、セグメントＳＧ０〜ＳＧ１１が存在しており、セグメントＳＧ０〜セグメントＳＧ３の記録対象チャンネル番号＝Ｃｈ１であり、セグメントＳＧ４〜セグメントＳＧ７の記録対象チャンネル番号＝Ｃｈ２であり、セグメントＳＧ８〜セグメントＳＧ１１の記録対象チャンネル番号＝Ｃｈ３である。
また、ＨＤＤ１１０Ｅ１のループ録画データ格納領域１４２には、セグメントＳＧ０〜ＳＧ７が存在しており、セグメントＳＧ０〜セグメントＳＧ３の記録対象チャンネル番号＝Ｃｈ４であり、セグメントＳＧ４〜セグメントＳＧ７の記録対象チャンネル番号＝Ｃｈ５である。
【００９９】
この状態において、追加登録をしたＨＤＤ１１０Ｅ１を一時的に取り外した状態では、ＨＤＤ１１０に記録されている記録対象チャンネルＣｈ１〜チャンネルＣｈ３について記録したコンテンツ（番組）については、全て再生可能状態（全ての番組が通常表示状態）、かつ、ＨＤＤ１１０Ｅ１に記録されている記録対象チャンネルＣｈ４、記録対象チャンネルＣｈ５については、全て再生不可状態（全ての番組がグレイアウト表示状態）で番組選択が行えることとなる。
【０１００】
なお、図１５の例の場合には、いずれのＨＤＤもメインディスクであるので、仮にＨＤＤ１１０を取り外したとしても同様にＨＤＤ１１０Ｅ１に記録されている記録対象チャンネルＣｈ４及び記録対象チャンネルＣｈ５のコンテンツ（番組）を再生がおこなえることとなる。なお、本実施形態体では、ＨＤＤ１１０は、内蔵ＨＤＤであるので、実際には取り外しを行うことが困難であるが、ＨＤＤ１１０も外付けＨＤＤとすれば、容易に取り外しが可能である。
【０１０１】
図１６は、追加登録したＨＤＤがブランチディスクである場合に当該ＨＤＤを一時的に取り外す場合の具体例の説明図である。
図１６は、ＨＤＤ１１０Ｅ１を取り外す前の初期状態を示す図であり、ＨＤＤ１１０のループ録画データ格納領域１４２には、セグメントＳＧ０〜ＳＧ１１が存在しており、セグメントＳＧ０〜セグメントＳＧ３の記録対象チャンネル番号＝Ｃｈ１であり、セグメントＳＧ４〜セグメントＳＧ７の記録対象チャンネル番号＝Ｃｈ２であり、セグメントＳＧ８〜セグメントＳＧ１１の記録対象チャンネル番号＝Ｃｈ３である。
【０１０２】
また、ＨＤＤ１１０Ｅ１のループ録画データ格納領域１４２には、セグメントＳＧ０〜ＳＧ５が存在しており、セグメントＳＧ０、セグメントＳＧ１の記録対象チャンネル番号＝Ｃｈ１であり、セグメントＳＧ２、セグメントＳＧ３の記録対象チャンネル番号＝Ｃｈ２であり、セグメントＳＧ４、セグメントＳＧ５の記録対象チャンネル番号＝Ｃｈ３である。
【０１０３】
この状態においても、追加登録をしたＨＤＤ１１０Ｅ１を一時的に取り外した状態では、ＨＤＤ１１０に記録されている記録対象チャンネルＣｈ１〜記録対象チャンネルＣｈ３について記録した番組については、全て再生可能状態（全ての番組が通常表示状態）、かつ、ＨＤＤ１１０Ｅ１に記録されている記録対象チャンネルＣｈ４、記録対象チャンネルＣｈ５については、全て再生不可状態（全ての番組がグレイアウト表示状態）で番組選択が行えることとなる。
図１６の例の場合には、メインディスクはＨＤＤ１１０のみであるので、ＨＤＤ１１０を取り外すことはできない。メインディスクが１台の場合には、当該メインディスクであるＨＤＤを取り外してしまうと、制御情報格納領域がいずれの他のＨＤＤに存在しないため、再生制御が行えないからである。
【０１０４】
図１７は、追加登録したＨＤＤが２台存在し、いずれのＨＤＤもブランチディスクである場合にいずれかの追加登録したＨＤＤを一時的に取り外す場合の具体例の説明図である。
図１７に示すように、ＨＤＤ１１０のループ録画データ格納領域１４２には、セグメントＳＧ０〜ＳＧ１１が存在しており、セグメントＳＧ０〜セグメントＳＧ３の記録対象チャンネル番号＝Ｃｈ１であり、セグメントＳＧ４〜セグメントＳＧ７の記録対象チャンネル番号＝Ｃｈ２であり、セグメントＳＧ８〜セグメントＳＧ１１の記録対象チャンネル番号＝Ｃｈ３である。
【０１０５】
また、ブランチディスクであるＨＤＤ１１０Ｅ１のループ録画データ格納領域１４２には、セグメントＳＧ０〜ＳＧ５が存在しており、セグメントＳＧ０〜セグメントＳＧ１の記録対象チャンネル番号＝Ｃｈ１であり、セグメントＳＧ２〜セグメントＳＧ３の記録対象チャンネル番号＝Ｃｈ２であり、セグメントＳＧ４〜セグメントＳＧ５の記録対象チャンネル番号＝Ｃｈ３である。
【０１０６】
また、ブランチディスクであるＨＤＤ１１０Ｅ２のループ録画データ格納領域１４２には、セグメントＳＧ０〜ＳＧ８が存在しており、セグメントＳＧ０〜セグメントＳＧ２の記録対象チャンネル番号＝Ｃｈ１であり、セグメントＳＧ３〜セグメントＳＧ５の記録対象チャンネル番号＝Ｃｈ２であり、セグメントＳＧ６〜セグメントＳＧ８の記録対象チャンネル番号＝Ｃｈ３である。
【０１０７】
この状態においても、追加登録をしたＨＤＤ１１０Ｅ１を一時的に取り外した状態では、ＨＤＤ１１０及びＨＤＤ１１０Ｅ２に記録されている記録対象チャンネルＣｈ１〜記録対象チャンネルＣｈ３について記録した番組については、全て再生可能状態（全ての番組が通常表示状態）であり、ＨＤＤ１１０及びＨＤＤ１１０Ｅ２に記録されている記録対象チャンネルＣｈ１〜記録対象チャンネルＣｈ３について記録した番組であって、ＨＤＤ１１０Ｅ１にその一部が記録されている番組については、ＨＤＤ１１０Ｅ１に記録されている部分以外については再生可能状態で番組選択が行えることとなる。
【０１０８】
同様に、追加登録をしたＨＤＤ１１０Ｅ２を一時的に取り外した状態では、ＨＤＤ１１０及びＨＤＤ１１０Ｅ１に記録されている記録対象チャンネルＣｈ１〜チャンネルＣｈ３について記録した番組については、全て再生可能状態（全ての番組が通常表示状態）であり、ＨＤＤ１１０及びＨＤＤ１１０Ｅ１に記録されているチャンネルＣｈ１〜チャンネルＣｈ３について記録した番組であって、ＨＤＤ１１０Ｅ２にその一部が記録されている番組については、ＨＤＤ１１０Ｅ２に記録されている部分以外については再生可能状態で番組選択が行えることとなる。
【０１０９】
さらに、追加登録をしたＨＤＤ１１０Ｅ１及びＨＤＤ１１０Ｅ２を一時的に取り外した状態では、ＨＤＤ１１０に記録されている記録対象チャンネルＣｈ１〜記録対象チャンネルＣｈ３について記録した番組については、全て再生可能状態（全ての番組が通常表示状態）で番組選択が行えることとなる。
図１７の例の場合においても、図１６の例の場合と同様に、メインディスクはＨＤＤ１１０のみであるので、ＨＤＤ１１０を取り外すことはできない。メインディスクが１台の場合には、当該メインディスクであるＨＤＤを取り外してしまうと、制御情報格納領域がいずれの他のＨＤＤに存在しないため、再生制御が行えないからである。
【０１１０】
［４］追加登録したＨＤＤの登録解除を行う場合の動作
［４．１］追加登録したＨＤＤがメインディスクである場合に当該ＨＤＤの登録解除を行う場合の動作
まず、ＨＤＤ１１０（メインディスク）に対して、追加登録したＨＤＤ１１０Ｅ１がメインディスクである場合に、当該追加登録したＨＤＤ１１０Ｅ１の登録解除を行う場合の動作について説明する。
この場合に、追加登録したＨＤＤ１１０Ｅ１の登録解除を行っても残されているＨＤＤ１１０に記録されている録画済みのデータに基づいて再生が可能となっている。
【０１１１】
図１８は、追加登録したＨＤＤの登録解除を行う場合の処理フローチャートである。
まず、システムコントローラ１１７は、録画再生部１０５がループ録画動作中であるか否かを判別する（ステップＳ６１）。
ステップＳ６１の判別において、録画再生部１０５がループ録画動作中である場合には（ステップＳ６１；Ｙｅｓ）、ループ録画動作を停止し（ステップＳ６２）、処理をステップＳ６３に移行する。
【０１１２】
ステップＳ６１の判別において、録画再生部１０５がループ録画動作中ではない場合には（ステップＳ６１；Ｎｏ）、システムコントローラ１１７は、表示部１２０にＨＤＤの登録／登録解除に関する設定メニューを表示する（ステップＳ６３）。
これにより、図５に示したように、ユーザがＨＤＤ登録解除ボタンＴＢ４をリモコン１３０により選択し確定することにより、登録解除指示動作を行うと（ステップＳ６４）、システムコントローラ１１７は、登録解除処理を行う（ステップＳ６５）。具体的には、システムコントローラ１１７は、ＨＤＤ１１０の基本情報格納領域１４１内の基本情報（例えば、同時記録チャンネル数）を更新する。
【０１１３】
さらにシステムコントローラ１１７は、表示部１２０に追加登録したＨＤＤを切り離す操作をユーザに促す表示を行う。これにより、ユーザがＨＤＤ１１０Ｅ１を切り離す処理（ＵＳＢコネクタなどの通信コネクタを通信インタフェース部１１８から引き抜く等の処理）を行うと（ステップＳ６６）、ループ記録（録画）が開始され（ステップＳ６７）、ＨＤＤ１１０は、基本情報格納領域１４１に格納されている基本情報に基づいて、トランスポートストリームを所定の圧縮率でループ記録（録画）することとなる。
【０１１４】
図１９は、追加登録したＨＤＤがメインディスクである場合に当該ＨＤＤの登録解除を行う場合の具体例の説明図である。
図１６に示すように、追加登録したＨＤＤ１１０Ｅ１取り外す前において、メインディスクであるＨＤＤ１１０のループ録画データ格納領域１４２には、セグメントＳＧ０〜ＳＧ１１が存在しており、セグメントＳＧ０〜セグメントＳＧ３の記録対象チャンネル番号＝Ｃｈ１であり、セグメントＳＧ４〜セグメントＳＧ７の記録対象チャンネル番号＝Ｃｈ２であり、セグメントＳＧ８〜セグメントＳＧ１１の記録対象チャンネル番号＝Ｃｈ３である。
【０１１５】
また、追加登録されているＨＤＤ１１０Ｅ１のループ録画データ格納領域１４２には、セグメントＳＧ０〜ＳＧ７が存在しており、セグメントＳＧ０〜セグメントＳＧ３の記録対象チャンネル番号＝Ｃｈ４であり、セグメントＳＧ４〜セグメントＳＧ７の記録対象チャンネル番号＝Ｃｈ５である。
この状態において、追加登録をしたＨＤＤ１１０Ｅ１の登録を解除した場合には、ＨＤＤ１１０に記録されている記録対象チャンネルＣｈ１〜記録対象チャンネルＣｈ３について記録した番組については、全て再生可能状態、かつ、記録対象チャンネルＣｈ１〜記録対象チャンネルＣｈ３で継続してループ録画が行えることとなる。
【０１１６】
図２０は、追加登録したＨＤＤの登録状態を維持し、既存のＨＤＤの登録解除を行う場合の具体例の説明図である。
図２０に示すように、いずれのＨＤＤもメインディスクであるので、ＨＤＤ１１０の登録を解除したとしても同様にＨＤＤ１１０Ｅ１に記録されているチャンネルＣｈ４及びチャンネルＣｈ５の番組の再生及びループ録画の継続が行えることとなる。
なお、本実施形態体では、ＨＤＤ１１０は、内蔵ＨＤＤであるので、実際には取り外しを行うことは困難であるが、単純に登録を解除するだけであれば容易に可能である。さらに、ＨＤＤ１１０も外付けＨＤＤとすれば、容易に物理的に取り外した状態で登録を解除することが可能である。
【０１１７】
［４．２］追加登録したＨＤＤがブランチディスクである場合に当該ＨＤＤの登録解除を行う場合の動作
図２１は、追加登録したＨＤＤがブランチディスクである場合に当該ＨＤＤの登録解除を行う場合の具体例の説明図である。
図２１に示すように、追加登録したＨＤＤ１１０Ｅ１取り外す前において、ＨＤＤ１１０のループ録画データ格納領域１４２には、セグメントＳＧ０〜ＳＧ１１が存在しており、セグメントＳＧ０〜セグメントＳＧ３の記録対象チャンネル番号＝Ｃｈ１であり、セグメントＳＧ４〜セグメントＳＧ７の記録対象チャンネル番号＝Ｃｈ２であり、セグメントＳＧ８〜セグメントＳＧ１１の記録対象チャンネル番号＝Ｃｈ３である。
【０１１８】
また、ＨＤＤ１１０Ｅ１のループ録画データ格納領域１４２には、セグメントＳＧ０〜ＳＧ５が存在しており、セグメントＳＧ０〜セグメントＳＧ１の記録対象チャンネル番号＝Ｃｈ１であり、セグメントＳＧ２〜セグメントＳＧ３の記録対象チャンネル番号＝Ｃｈ２であり、セグメントＳＧ４〜セグメントＳＧ５の記録対象チャンネル番号＝Ｃｈ３である。
この状態において、追加登録をしたＨＤＤ１１０Ｅ１の登録を解除する直前では、ＨＤＤ１１０及びＨＤＤ１１０Ｅ１は、既にループ記録状態となっており、データが書き込まれていないセグメントは存在せず、ＨＤＤ１１０Ｅ１のセグメントＳＧ０に上書き記録を行っている。
【０１１９】
この場合において、追加登録をしたＨＤＤ１１０Ｅ１の登録を解除した後に、残ったＨＤＤ（本実施形態では、ＨＤＤ１１０）のいずれかのセグメント上に記録を行っていた場合には、その記録場所に続く位置から記録を行い、登録を解除したＨＤＤ１１０Ｅ１のいずれかのセグメント上に記録を行っていた場合には、残ったＨＤＤ１１０のセグメントのうち、最も古いデータが書き込まれているセグメントに記録を行うようにする。
【０１２０】
すなわち、図２１の例の場合、追加登録をしたＨＤＤ１１０Ｅ１の登録を解除した後においては、ＨＤＤ１１０のループ録画領域に含まれる記録対象チャンネル番号＝Ｃｈ１に対応するセグメントのうち、最も古いデータが書き込まれているセグメントＳＧ２にデータの書き込みを行い、続いて、セグメントＳＧ３→セグメントＳＧ０→セグメントＳＧ１→セグメントＳＧ２→…の順番でループ録画を継続することとなる。
この結果、残されたＨＤＤの記録済みのデータ及び制御情報は可能な限り残されているので、再生が可能となっている。
【０１２１】
図２１の例の場合には、メインディスクはＨＤＤ１１０のみであるので、ＨＤＤ１１０を取り外すことはできない。メインディスクが１台の場合には、当該メインディスクであるＨＤＤを取り外してしまうと、制御情報格納領域がいずれの他のＨＤＤに存在しないため、再生制御が行えないからである。
【０１２２】
［４．３］追加登録したＨＤＤが２台存在し、いずれのＨＤＤもブランチディスクである場合にいずれかの追加登録したＨＤＤの登録解除を行う場合の動作
図２２は、追加登録したＨＤＤが２台存在し、いずれのＨＤＤもブランチディスクである場合にいずれかの追加登録したＨＤＤの登録解除を行う場合の具体例の説明図である。
図２２において、ＨＤＤ１１０のループ録画データ格納領域１４２には、セグメントＳＧ０〜ＳＧ１１が存在しており、セグメントＳＧ０〜セグメントＳＧ３の記録対象チャンネル番号＝Ｃｈ１であり、セグメントＳＧ４〜セグメントＳＧ７の記録対象チャンネル番号＝Ｃｈ２であり、セグメントＳＧ８〜セグメントＳＧ１１の記録対象チャンネル番号＝Ｃｈ３である。
【０１２３】
また、ブランチディスクであるＨＤＤ１１０Ｅ１のループ録画データ格納領域１４２には、セグメントＳＧ０〜ＳＧ５が存在しており、セグメントＳＧ０〜セグメントＳＧ１の記録対象チャンネル番号＝Ｃｈ１であり、セグメントＳＧ２〜セグメントＳＧ３の記録対象チャンネル番号＝Ｃｈ２であり、セグメントＳＧ４〜セグメントＳＧ５の記録対象チャンネル番号＝Ｃｈ３である。
【０１２４】
また、ブランチディスクであるＨＤＤ１１０Ｅ２のループ録画データ格納領域１４２には、セグメントＳＧ０〜ＳＧ８が存在しており、セグメントＳＧ０〜セグメントＳＧ２の記録対象チャンネル番号＝Ｃｈ１であり、セグメントＳＧ３〜セグメントＳＧ５の記録対象チャンネル番号＝Ｃｈ２であり、セグメントＳＧ６〜セグメントＳＧ８の記録対象チャンネル番号＝Ｃｈ３である。
【０１２５】
この状態においても、追加登録をしたＨＤＤ１１０Ｅ１の登録を解除した状態では、ＨＤＤ１１０及びＨＤＤ１１０Ｅ２に記録されている記録対象チャンネルＣｈ１〜記録対象チャンネルＣｈ３について記録した番組については、全て再生可能状態（全ての番組が通常表示状態）であり、ＨＤＤ１１０及びＨＤＤ１１０Ｅ２に記録されている記録対象チャンネルＣｈ１〜記録対象チャンネルＣｈ３について記録した番組であって、ＨＤＤ１１０Ｅ１にその一部が記録されている番組については、ＨＤＤ１１０Ｅ１に記録されている部分以外については再生可能状態で番組選択が行えることとなる。
【０１２６】
同様に、追加登録をしたＨＤＤ１１０Ｅ２を一時的に取り外した状態では、ＨＤＤ１１０及びＨＤＤ１１０Ｅ１に記録されているチャンネルＣｈ１〜チャンネルＣｈ３について記録した番組については、全て再生可能状態（全ての番組が通常表示状態）であり、ＨＤＤ１１０及びＨＤＤ１１０Ｅ１に記録されている記録対象チャンネルＣｈ１〜記録対象チャンネルＣｈ３について記録した番組であって、ＨＤＤ１１０Ｅ２にその一部が記録されている番組については、ＨＤＤ１１０Ｅ２に記録されている部分以外については再生可能状態で番組選択が行えることとなる。
【０１２７】
さらに、追加登録をしたＨＤＤ１１０Ｅ１及びＨＤＤ１１０Ｅ２の登録を解除した状態では、ＨＤＤ１１０に記録されている記録対象チャンネルＣｈ１〜記録対象チャンネルＣｈ３について記録した番組については、全て再生可能状態（全ての番組が通常表示状態）で番組選択が行えることとなる。
図２２の例の場合においても、図２１の例の場合と同様に、メインディスクはＨＤＤ１１０のみであるので、ＨＤＤ１１０の登録を解除することはできない。メインディスクが１台の場合には、当該メインディスクであるＨＤＤを取り外してしまうと、制御情報格納領域がいずれの他のＨＤＤに存在しないため、再生制御が行えないからである。
【０１２８】
［５］ループ録画の開始後に同一ＨＤＤ内で同時記録するチャンネルを追加する場合の動作
図２３は、ループ録画の開始後に同一ＨＤＤ内で同時記録するチャンネルを追加する場合の処理フローチャートである。
まず、システムコントローラ１１７は、録画再生部１０５がループ録画動作中であるか否かを判別する（ステップＳ７１）。
ステップＳ７１の判別において、録画再生部１０５がループ録画動作中である場合には（ステップＳ７１；Ｙｅｓ）、システムコントローラ１１７は、ループ録画動作を停止し（ステップＳ７２）、処理をステップＳ７３に移行する。
【０１２９】
ステップＳ７１の判別において、録画再生部１０５がループ録画動作中ではない場合には（ステップＳ７１；Ｎｏ）、システムコントローラ１１７は、表示部１２０にＨＤＤの設定メニュー画面ＭＮを表示する（ステップＳ７３）。
これにより、図５に示したように、ユーザが設定メニュー画面ＭＮ上で同時記録チャンネル追加ボタンＴＢ５をリモコン１３０により選択し確定することにより、同時記録チャンネル追加指示動作を行うと（ステップＳ７４）、システムコントローラ１１７は、同時記録チャンネル追加処理を行う（ステップＳ７５）。
そして同時記録チャンネル追加処理が完了後に、ループ録画を開始することとなる（ステップＳ７６）。
【０１３０】
図２４は、同時記録チャンネル追加処理の処理フローチャートである。
まずシステムコントローラ１１７は、基本情報格納領域に格納されている基本情報に基づいて追加チャンネルの記録領域が確保可能か否かを判別する（ステップＳ８１）。より具体的には、ＨＤＤ１１０が既に実体的にループ記録状態、すなわち、ループ録画に用いるセグメントＳＧのうち、未記録部分を有するセグメントＳＧが存在するか否かを判別し、未記録部分を有するセグメントＳＧが存在する場合には、追加チャンネルの記録領域が確保可能であると判別する。
【０１３１】
ステップＳ８１の判別において、記録領域が確保できない場合、すなわち、ループ録画に用いるセグメントＳＧのうち、未記録部分を有するセグメントＳＧが存在しない場合には（ステップＳ８１；Ｎｏ）、システムコントローラ１１７は、ユーザによる領域確保方法の指示入力画面を表示部１２０に表示し（ステップＳ８２）、ユーザの指示入力があったか否かを判別する（ステップＳ８３）。
ステップＳ８３の判別において、ユーザの指示入力がない場合には（ステップＳ８３；Ｎｏ）、システムコントローラ１１７は、待機状態となる。
【０１３２】
ステップＳ８３の判別において、ユーザの指示入力があった場合には（ステップＳ８３；Ｙｅｓ）、システムコントローラ１１７は、当該指示入力が記録領域の確保を自動で行う指示に相当するものであるか否かを判別する（ステップＳ８４）。
ステップＳ８４の判別において、当該指示入力は、記録領域の確保を自動で行う指示に相当するものである場合には（ステップＳ８４；Ｙｅｓ）、システムコントローラ１１７は、ループ録画データ格納領域に既に記録されているデータのうち、最も古い記録データを削除する処理を行い（ステップＳ８５）、処理をステップＳ８７に移行する。
【０１３３】
ステップＳ８４の判別において、当該指示入力は、記録領域の確保を自動で行わない指示、すなわち、ユーザが手動で記録領域の確保を行う指示に相当するものである場合には（ステップＳ８４；Ｎｏ）、システムコントローラ１１７は、ユーザに連続する不要な番組を選択させて削除させる処理を行う（ステップＳ８６）。
【０１３４】
続いてシステムコントローラ１１７は、ＨＤＤの基本情報格納領域に格納されている基本情報を更新する。より詳細には、同時記録チャンネル数の更新を行うとともに、セグメントマップの更新を行う。ここで、セグメントマップの更新に際しては、所定の条件として、既に記録済みのストリームデータが破棄されず、かつ、ストリームデータのループ録画データ格納領域におけるセグメントＳＧへの記録順序を維持するように更新を行って処理を終了する（ステップＳ８７）。
【０１３５】
同様に、ステップＳ８１の判別において、追加チャンネルの記録領域が確保可能、すなわち、ループ録画に用いるセグメントＳＧのうち、未記録部分を有するセグメントＳＧが存在する場合には（ステップＳ８１；Ｙｅｓ）、システムコントローラ１１７は、ＨＤＤの基本情報格納領域に格納されている基本情報を更新して、処理を終了する（ステップＳ８８）。
【０１３６】
図２５は、追加チャンネルの記録領域の確保が可能な場合の具体例の説明図である。
図２５に示すように、メインディスクとしての、ＨＤＤ１１０のループ録画データ格納領域１４２には、セグメントＳＧ０〜ＳＧ１１が存在しており、セグメントＳＧ０〜セグメントＳＧ５の記録対象チャンネル番号＝Ｃｈ１であり、セグメントＳＧ６〜セグメントＳＧ１１の記録対象チャンネル番号＝Ｃｈ２であったとする。
【０１３７】
この状態で記録対象チャンネル番号Ｃｈ３に対応する記録領域を追加する場合について説明する。
ここで、予め設定した第１の記録対象チャンネルＣｈ１に対応するトランスポートストリームを所定の圧縮率でループ録画する領域であるセグメントＳＧ０〜セグメントＳＧ５は、現在セグメントＳＧ２の途中まで記録（録画）がなされており、セグメントＳＧ３〜セグメントＳＧ５は、未だ未記録状態である。
【０１３８】
同様に予め設定した第２の記録対象チャンネルＣｈ１に対応するトランスポートストリームを所定の圧縮率でループ録画する領域であるセグメントＳＧ６〜セグメントＳＧ１１は、現在セグメントＳＧ６の途中まで記録（録画）がなされており、セグメントＳＧ７〜セグメントＳＧ１１は、未だ未記録状態である。
【０１３９】
そこで、３つの記録対象チャンネルＣｈ１〜記録対象Ｃｈ３に均等にループ録画データ格納領域１４２のセグメントＳＧを割り当てる場合には、例えば各チャンネルＣｈ１〜Ｃｈ３に４つずつのセグメントを割り当てることとなる。
このため、本例では、記録対象チャンネル番号＝Ｃｈ１及び記録対象チャンネル番号＝Ｃｈ２に対応するセグメントをそれぞれ二つずつ、記録対象チャンネル番号Ｃｈ３に割り当てるものとする。
【０１４０】
より具体的には、記録対象チャンネル番号＝Ｃｈ１に対応するセグメントＳＧ０〜ＳＧ５のうち、最も記録がなされるのが遅い予定であったセグメントＳＧ４及びセグメントＳＧ５並びに記録対象チャンネル番号＝Ｃｈ２に対応するセグメントＳＧ６〜ＳＧ１１のうち、最も記録がなされるのが遅い予定であったセグメントＳＧ１０及びセグメントＳＧ１１を記録対象チャンネル番号＝Ｃｈ３に割り当てることとなる。
【０１４１】
この結果、記録対象チャンネル番号＝Ｃｈ１に対応するセグメントＳＧ０〜セグメントＳＧ３においては、ループ録画開始後には、再びセグメントＳＧ２の続きからループ録画を継続することとなり、記録対象チャンネル番号＝Ｃｈ３に対応するセグメントＳＧ６〜セグメントＳＧ９においては、ループ録画開始後には、再びセグメントＳＧ６の続きからループ録画を継続することとなり、既にループ録画データ格納領域１４２に格納済みのストリームデータ及び制御情報格納領域１４３に格納されている制御情報は、破棄されることがなく、再生が可能となっている。
【０１４２】
図２６は、追加チャンネルの記録領域の確保ができない場合の具体例の説明図である。
図２６に示すように、メインディスクとしての、ＨＤＤ１１０のループ録画データ格納領域１４２には、セグメントＳＧ０〜ＳＧ１１が存在しており、セグメントＳＧ０〜セグメントＳＧ５の記録対象チャンネル番号＝Ｃｈ１であり、セグメントＳＧ６〜セグメントＳＧ１１の記録対象チャンネル番号＝Ｃｈ２であったとする。
この状態で記録対象チャンネル番号Ｃｈ３に対応する記録領域を追加する場合について説明する。
【０１４３】
ここで、予め設定した第１のチャンネルＣｈ１に対応するトランスポートストリームを所定の圧縮率でループ録画する領域であるセグメントＳＧ０〜セグメントＳＧ５は、現在セグメントＳＧ２の途中まで上書き記録（録画）がなされており、セグメントＳＧ０、セグメントＳＧ１、セグメントＳＧ３〜セグメントＳＧ５には、前回の記録がなされている状態である。
【０１４４】
また、予め設定した第２のチャンネルＣｈ２に対応するトランスポートストリームを所定の圧縮率でループ録画する領域であるセグメントＳＧ６〜セグメントＳＧ１１は、現在セグメントＳＧ６の途中まで上書き記録（録画）がなされており、セグメントＳＧ７〜セグメントＳＧ１１には、前回の記録がなされている状態である。
【０１４５】
ここで、３つの記録対象チャンネルＣｈ１〜記録対象チャンネルＣｈ３に均等にループ録画データ格納領域１４２のセグメントＳＧを割り当てる場合には、例えば各記録対象チャンネルＣｈ１〜記録対象チャンネルＣｈ３に４つずつのセグメントを割り当てることとなる。
このため、本例では、記録対象チャンネル番号＝Ｃｈ１及び記録対象チャンネル番号＝Ｃｈ２に対応するセグメントをそれぞれ二つずつ、記録対象チャンネル番号Ｃｈ３に割り当てるものとする。
【０１４６】
より具体的には、記録対象チャンネル番号＝Ｃｈ１に対応するセグメントＳＧ０〜ＳＧ５のうち記録がなされたのが最も古い側から二つのセグメントＳＧ３及びセグメントＳＧ４を選択し、並びに記録対象チャンネル番号＝Ｃｈ２に対応するセグメントＳＧ６〜ＳＧ１１のうち記録がなされたのが最も古い側から二つのセグメントＳＧ７及びセグメントＳＧ８を選択し、これらを記録対象チャンネル番号＝Ｃｈ３に割り当てることとなる。
この結果、記録対象チャンネル番号＝Ｃｈ１に対応するセグメントＳＧ０〜セグメントＳＧ２及びセグメントＳＧ５においては、ループ録画開始後には、再びセグメントＳＧ２の続きからループ録画を継続することとなる。
【０１４７】
同様に、記録対象チャンネル番号＝Ｃｈ２に対応するセグメントＳＧ６及びセグメントＳＧ９〜セグメントＳＧ１１においては、ループ録画開始後には、再びセグメントＳＧ６の続きからループ録画を継続することとなる。
また、記録対象チャンネル番号＝Ｃｈ３に対応するセグメントＳＧ３、セグメントＳＧ４、セグメントＳＧ７及びセグメントＳＧ８においては、ループ録画開始後には、セグメントＳＧ３→セグメントＳＧ４→セグメントＳＧ７→セグメントＳＧ８→セグメントＳＧ３→…の順番で録画がなされることとなる。
【０１４８】
したがって、同時記録チャンネル追加前に既にループ録画データ格納領域１４２に格納済みのストリームデータであって、新たな記録対象チャンネルに割り当てられなかったセグメントに対応するストリームデータ及び制御情報格納領域１４３に格納されている制御情報は、破棄されることがなく、再生が可能となっている。
【０１４９】
［６］ループ録画の開始後に同一ＨＤＤ内で同時記録していたチャンネルを削除する場合の動作
図２７は、ループ録画の開始後に同一ＨＤＤ内で同時記録するチャンネルを削除する場合の処理フローチャートである。
【０１５０】
まず、システムコントローラ１１７は、録画再生部１０５がループ録画動作中であるか否かを判別する（ステップＳ９１）。
ステップＳ９１の判別において、録画再生部１０５がループ録画動作中である場合には（ステップＳ９１；Ｙｅｓ）、システムコントローラ１１７は、ループ録画動作を停止し（ステップＳ９２）、処理をステップＳ９３に移行する。
【０１５１】
ステップＳ９１の判別において、録画再生部１０５がループ録画動作中ではない場合には（ステップＳ９１；Ｎｏ）、システムコントローラ１１７は、表示部１２０にＨＤＤの設定メニュー画面ＭＮを表示する（ステップＳ９３）。
これにより、図５に示したように、ユーザが設定メニュー画面ＭＮ上で同時記録チャンネル削除ボタンＴＢ６をリモコン１３０により選択し確定することにより、同時記録チャンネル削除指示動作を行うと（ステップＳ９４）、システムコントローラ１１７は、同時記録チャンネル削除処理を行う（ステップＳ９５）。
そして同時記録チャンネル削除処理後に、ループ録画を開始する（ステップＳ９６）。
【０１５２】
図２８は、同時記録チャンネル削除処理の具体例の説明図である。
図２８に示すように、メインディスクとしての、ＨＤＤ１１０のループ録画データ格納領域１４２には、セグメントＳＧ０〜ＳＧ１１が存在しており、セグメントＳＧ０〜セグメントＳＧ３の記録対象チャンネル番号＝Ｃｈ１であり、セグメントＳＧ４〜セグメントＳＧ７の記録対象チャンネル番号＝Ｃｈ２であり、セグメントＳＧ８〜セグメントＳＧ１１の記録対象チャンネル番号＝Ｃｈ３であったとする。
【０１５３】
この状態で記録対象チャンネル番号Ｃｈ２に対応する記録領域を削除する場合について説明する。
ここで、予め設定した第１のチャンネルＣｈ１に対応するトランスポートストリームを所定の圧縮率でループ録画する領域であるセグメントＳＧ０〜セグメントＳＧ３は、現在セグメントＳＧ１の途中まで上書き記録（録画）がなされており、セグメントＳＧ０、セグメントＳＧ２、セグメントＳＧ３には、前回の記録がなされている状態である。さらにセグメントＳＧ１以外では、セグメントＳＧ２の記録が最も古く、記録（録画）の時期が古い順に並べると、セグメントＳＧ２→セグメントＳＧ３→セグメントＳＧ０となっている。
【０１５４】
また、予め設定した第３のチャンネルＣｈ２に対応するトランスポートストリームを所定の圧縮率でループ録画する領域であるセグメントＳＧ８〜セグメントＳＧ１１は、現在セグメントＳＧ１０の途中まで上書き記録（録画）がなされており、セグメントＳＧ８、セグメントＳＧ９及びセグメントＳＧ１１には、前回の記録がなされている状態である。
さらにセグメントＳＧ１０以外では、セグメントＳＧ１１の記録が最も古く、記録（録画）の時期が古い順に並べると、セグメントＳＧ１１→セグメントＳＧ８→セグメントＳＧ９となっている。
【０１５５】
ここで、記録対象チャンネルＣｈ２に対応する記録領域を削除するに当たり、記録対象チャンネルＣｈ２に対応するセグメントＳＧ４〜セグメントＳＧ７を記録対象チャンネルＣｈ１及び記録対象チャンネルＣｈ３に割り当てるときに、できる限り古いデータを残し、各セグメント間の相対的な記録順番も変更しないようにするために、新たに割り当てたセグメントに先にトランスポートストリームを録画するようにしている。
【０１５６】
すなわち、同時記録チャンネル（記録対象チャンネルＣｈ２）削除後の記録対象チャンネルＣｈ１については、ループ記録再開後には、上書き途中であったセグメントＳＧ１の残りの部分に記録を開始し、セグメントＳＧ１→新たに追加されたセグメントＳＧ４→新たに追加されたセグメントＳＧ５→セグメントＳＧ２→セグメントＳＧ３→セグメントＳＧ０→セグメントＳＧ１→…の順番でループ録画がなされる。
【０１５７】
同様に同時記録チャンネル（Ｃｈ２）削除後の記録対象チャンネルＣｈ３については、ループ記録再開後には、上書き途中であったセグメントＳＧ１０の残りの部分に記録を開始し、セグメントＳＧ１０→新たに追加されたセグメントＳＧ６→新たに追加されたセグメントＳＧ７→セグメントＳＧ１１→セグメントＳＧ８→セグメントＳＧ９→セグメントＳＧ１０→…の順番でループ録画がなされる。
【０１５８】
したがって、削除対象の記録チャンネル以外の記録チャンネルについては、同時記録チャンネル削除前に既にループ録画データ格納領域１４２に格納済みのストリームデータ及び制御情報格納領域１４３に格納されている制御情報は、破棄されることがなく、再生が可能となっている。
【０１５９】
［７］実施形態の効果
以上の説明のように、本実施形態によれば、ループ録画（タイムシフト録画）において、ＨＤＤとして構成されている記録媒体の活用の自由度が増す。
また、ＨＤＤとしては、外付けのＨＤＤを用いることができ、より長期間にわたってループ録画を行うことができ、録画予約等のユーザの手間を削減して、長期にわたってコンテンツを再生して楽しむことが可能となる。
【０１６０】
［８］実施形態の変形例
以上の実施形態の説明においては、ディジタル放送記録装置としてコンテンツデータ記録機能（録画機能）を備えたテレビジョン受信装置を例にとり説明したが、これに限定されるものではない。例えば、ＨＤＤ（Hard Disk Drive）に録画を行うＨＤＤレコーダや、ＨＤＤ及びＤＶＤ（Digital Versatile Disc）に録画を行えるＨＤＤ+ＤＶＤレコーダなどの他のコンテンツデータ記録を行うディジタル放送記録装置にも適用できる。
【０１６１】
また、外部にチューナを接続するチューナ別体型の記録（録画）専用装置であっても適用が可能である。
【０１６２】
本実施形態のディジタル放送記録置は、ＣＰＵなどの制御装置と、ＲＯＭ（Read Only Memory）やＲＡＭなどの記憶装置と、ＨＤＤ、ＣＤドライブ装置などの外部記憶装置と、ディスプレイ装置などの表示装置と、キーボードやマウスなどの入力装置を備え、通常のコンピュータを利用したハードウェア構成とすることも可能である。
【０１６３】
この場合において、ディジタル放送記録装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１６４】
また、本実施形態のディジタル放送記録装置で実行される制御プログラムを、インターネット等のネットワークに接続されたコンピュータ上に格納し、ネットワーク経由でダウンロードさせることにより提供するように構成しても良い。また、本実施形態のディジタル放送記録置で実行される制御プログラムをインターネット等のネットワーク経由で提供または配布するように構成しても良い。
また、本実施形態の制御プログラムを、ＲＯＭ等に予め組み込んで提供するように構成してもよい。
【０１６５】
なお、上述した実施形態は、一例であり、上記実施形態そのままに限定されるものではなく、実施段階ではその要旨を逸脱しない範囲で構成要素を変形して具体化することができる。また、上記実施の形態に開示されている複数の構成要素の適宜な組み合わせにより、種々の実施形態を形成することができる。例えば、実施形態に示される全構成要素からいくつかの構成要素を削除してもよい。さらに、異なる実施形態にわたる構成要素を適宜組み合わせても良い。
【符号の説明】
【０１６６】
１００…テレビジョン受信装置、１０１…チューナ部、１０５…録画再生部、１０６…ループ録画部、１０７…ＰＶＲ録画部、１０８…変更部、１０９…再生部、１１０…ＨＤＤ、１１０Ｅ１〜１１０Ｅｎ…ＨＤＤ（外付け）、１１０Ａ…ループ録画領域、１１０ＡＥ…ループ録画領域、１１０Ｂ…ＰＶＲ録画領域、１１０Ｃ…コピー制御情報格納領域、１１２…ＥＰＧ処理部、１１３…ＥＰＧメモリ、１１４…ＭＰＥＧデコーダ、１１５…表示制御部、１１６…リモコン受信部、１１７…システムコントローラ、１１８…通信インタフェース部、１２０…表示部、１３０…リモコン、１４１…基本情報格納領域、１４２…ループ録画データ格納領域、１４３…制御情報格納領域、Ｃｈ１〜Ｃｈ５…記録対象チャンネル、ＳＧ０〜ＳＧ１１…セグメント。
【図１】
2013012948.tif 000003
【図２】
2013012948.tif 000004
【図３】
2013012948.tif 000005
【図４】
2013012948.tif 000006
【図５】
2013012948.tif 000007
【図６】
2013012948.tif 000008
【図７】
2013012948.tif 000009
【図８】
2013012948.tif 000010
【図９】
2013012948.tif 000011
【図１０】
2013012948.tif 000012
【図１１】
2013012948.tif 000013
【図１２】
2013012948.tif 000014
【図１３】
2013012948.tif 000015
【図１４】
2013012948.tif 000016
【図１５】
2013012948.tif 000017
【図１６】
2013012948.tif 000018
【図１７】
2013012948.tif 000019
【図１８】
2013012948.tif 000020
【図１９】
2013012948.tif 000021
【図２０】
2013012948.tif 000022
【図２１】
2013012948.tif 000023
【図２２】
2013012948.tif 000024
【図２３】
2013012948.tif 000025
【図２４】
2013012948.tif 000026
【図２５】
2013012948.tif 000027
【図２６】
2013012948.tif 000028
【図２７】
2013012948.tif 000029
【図２８】
2013012948.tif 000030